(57)【特許請求の範囲】
【請求項１】
ユーザ端末（ＵＴ）を識別するデータを取得することと、
前記ＵＴのアクセス機能を決定するために前記データを使用することと、前記ＵＴのアクセス機能は、前記ＵＴがフェムト対応であるか、フェムト対応でないかを示し、
前記アクセス機能に基づいて、少なくとも一部にフェムトかマクロである好適なアクセスポイントを有する前記ＵＴのカスタムシステム決定リスト（ＳＤＬ）を生成することと、前記カスタムＳＤＬは前記ＵＴによって前記好適なアクセスポイントの優先の選択を容易にし、
前記ＵＴへのネットワークアクセスを許可し、又は拒否することとを含み、
前記ＵＴがフェムト対応であり、ホーム地理的領域（ＧＥＯ）で動作している場合、前記好適なアクセスポイントがフェムトであり、
前記ＵＴがフェムト対応でない場合、および／または、前記ＵＴがフェムト対応であり、前記ホームＧＥＯで動作していない場合、前記好適なアクセスポイントがマクロである、ネットワークエンティティを動作させる方法。
【請求項２】
モバイルネットワークからブートストラップパラメータを取得することをさらに含む請求項１記載の方法。
【請求項３】
ブートストラップのスタートアップ又は取得モードを開始するための前記ブートストラップパラメータを使用することをさらに含む請求項２記載の方法。
【請求項４】
前記ＵＴと通信可能に接続するためにブートストラップ周波数チャネルと低電力ブートストラップ信号を使用することをさらに含む請求項３記載の方法。
【請求項５】
前記ブートストラップ周波数チャネルを介して前記ＵＴからＩＤデータを取得し、前記ブートストラップモードを終了する前に前記ＵＴへ前記カスタムＳＤＬを供給することをさらに含む請求項４記載の方法。
【請求項６】
前記ネットワークアクセスを許可し又は拒否することは、前記ＵＴが前記ＵＴに結合されたネットワークアクセスポイントに関連付けられたクローズされた加入者グループ（ＣＳＧ）に含まれているか否かに基づくことをさらに含む請求項１記載の方法。
【請求項７】
隣接ネットワークアクセスポイントの信号特性を示す前記ＵＴからの信号統計を取得することをさらに含む請求項１記載の方法。
【請求項８】
前記信号統計の少なくとも一部に基づいてブラックリストされたアクセスポイントとしての少なくとも１つの隣接アクセスポイントを特定することをさらに含む請求項７記載の方法。
【請求項９】
隣接アクセスポイント配備における変化に基づいて更新されたネットワークトポロジ情報を取得し、
前記隣接アクセスポイント配備における前記変化を反映するために前記カスタムＳＤＬを更新することをさらに含む請求項１記載の方法。
【請求項１０】
前記モバイルネットワークからのフェムトセル動作パラメータを取得し、前記カスタムＳＤＬにおける前記動作パラメータを含むことをさらに含む請求項１記載の方法。
【請求項１１】
前記ＵＴのホームＧＥＯとしての少なくとも１つのＧＥＯを確立し、前記好適なアクセスポイントとして前記ホームＧＥＯに配置されたフェムトアクセスポイントを確立することをさらに含む請求項１記載の方法。
【請求項１２】
ユーザ端末（ＵＴ）を識別するデータを取得する受信器と、
前記ＵＴのアクセス機能を決定するために前記データを使用する通信プロセッサと、前記ＵＴのアクセス機能は、前記ＵＴがフェムト対応であるか、フェムト対応でないかを示し、
前記アクセス機能に基づいて、少なくとも一部にフェムトかマクロである好適なアクセスポイントを有する前記ＵＴのカスタムシステム決定リスト（ＳＤＬ）を生成するシステム決定リスト（ＳＤＬ）供給モジュールと、前記カスタムＳＤＬは前記ＵＴによって前記好適なアクセスポイントの優先の選択を容易にし、
前記ＵＴへのネットワークアクセスを許可し、又は拒否するように使用されるＣＳＧとを含み、
前記ＵＴがフェムト対応であり、ホーム地理的領域（ＧＥＯ）で動作している場合、前記好適なアクセスポイントがフェムトであり、
前記ＵＴがフェムト対応でない場合、および／または、前記ＵＴがフェムト対応であり、前記ホームＧＥＯで動作していない場合、前記好適なアクセスポイントがマクロであるネットワークエンティティ。
【請求項１３】
モバイルネットワークからインターネットを介してブートストラップパラメータを取得するように使用されるデータインターフェイスをさらに含む請求項１２記載のネットワークエンティティ。
【請求項１４】
ブートストラップのスタートアップ又は取得モードを開始するための前記ブートストラップパラメータを使用するブートストラップモジュールをさらに含む請求項１３記載のネットワークエンティティ。
【請求項１５】
前記ブートストラップモジュールは、前記ＵＴと通信可能に接続するためにブートストラップ周波数チャネルと低電力ブートストラップ信号を特定する請求項１４記載のネットワークエンティティ。
【請求項１６】
前記受信器は、前記ブートストラップ周波数チャネルを介して前記ＵＴからＩＤデータを取得し、前記ＳＤＬ供給モジュールは、前記ブートストラップモードを終了する前に前記ＵＴへ前記カスタムＳＤＬを供給する請求項１５記載のネットワークエンティティ。
【請求項１７】
前記ＵＴが前記ＣＳＧに含まれている場合に、前記ＵＴがネットワークにアクセスすることが許可される請求項１２記載のネットワークエンティティ。
【請求項１８】
前記受信器は、隣接ネットワークアクセスポイントの信号特性を示す前記ＵＴからの信号統計を取得する請求項１２記載のネットワークエンティティ。
【請求項１９】
前記ＳＤＬ供給モジュールは、前記隣接アクセスポイントが前記ネットワークエンティティと比べて比較的強い信号強度を有するエイリアンフェムトセルである場合に、少なくとも１つの隣接アクセスポイントをブラックリストされたアクセスポイントとして特定する請求項１８記載のネットワークエンティティ。
【請求項２０】
データインターフェイスが隣接アクセスポイント配備における変化に基づいて更新されたネットワークトポロジ情報を取得し、
前記ＳＤＬ供給モジュールが前記隣接アクセスポイント配備における前記変化を反映するために前記カスタムＳＤＬを更新する請求項１２記載のネットワークエンティティ。
【請求項２１】
データインターフェイスが前記モバイルネットワークからのフェムトセル動作パラメータを取得し、前記カスタムＳＤＬにおける前記動作パラメータを含む請求項１２記載のネットワークエンティティ。
【請求項２２】
前記ＳＤＬ供給モジュールは、前記ＵＴの前記ホームＧＥＯとしての少なくとも１つのＧＥＯを確立し、前記ホームＧＥＯの前記好適なアクセスポイントとして所与のフェムトアクセスポイントを確立する請求項１２記載のネットワークエンティティ。
【請求項２３】
ブートストラップ取得モードを開始するためにブートストラップパラメータを使用する手段と、
ユーザ端末（ＵＴ）ＩＤデータからＵＴのアクセス機能を取得する手段と、前記ＵＴの前記アクセス機能は、前記ＵＴがフェムト対応であるか、フェムト対応でないかを示し、
前記アクセス機能に基づいて、少なくとも一部にフェムトかマクロである好適なアクセスポイントを有する前記ＵＴのカスタムシステム決定リスト（ＳＤＬ）を生成する手段と、前記カスタムＳＤＬは前記ＵＴによって前記好適なアクセスポイントの優先の選択を容易にし、
前記ＵＴへのネットワークアクセスを許可し、又は拒否する手段とを含み、
前記ＵＴがフェムト対応であり、ホーム地理的領域（ＧＥＯ）で動作している場合、前記好適なアクセスポイントがフェムトであり、
前記ＵＴがフェムト対応でない場合、および／または、前記ＵＴがフェムト対応であり、前記ホームＧＥＯで動作していない場合、前記好適なアクセスポイントがマクロであるネットワークエンティティ。
【請求項２４】
ユーザ端末（ＵＴ）データをメモリ或いはユーザ入力から取得することと、
前記ＵＴデータをネットワークアクセスポイントへ提供することと、
前記ＵＴのアクセス機能に基づいて、好適なアクセスポイントを特定するカスタムシステム決定リスト（ＳＤＬ）を取得することを含み、
前記ＵＴの前記アクセス機能は、前記ＵＴがフェムト対応であるか、フェムト対応でないかを示し、
前記好適なアクセスポイントが前記アクセス機能に基づいて、少なくとも一部にフェムトかマクロであり、
前記カスタムＳＤＬは無線通信のための前記ＵＴによって前記好適なアクセスポイントの優先の選択を容易にし、
前記ＵＴがフェムト対応であり、ホーム地理的領域（ＧＥＯ）で動作している場合、フェムトが前記ＳＤＬにおけるアクセスポイントの好適なタイプであり、
前記ＵＴがフェムト対応でない場合、および／または、前記ＵＴがフェムト対応であり、前記ホームＧＥＯで動作していない場合、マクロが前記ＳＤＬにおけるアクセスポイントの好適なタイプであるユーザ端末（ＵＴ）を動作させる方法。
【請求項２５】
ブートストラップセルＩＤ及びブートストラップ周波数チャネルを含むモバイルネットワークからのブートストラップＳＤＬを取得することをさらに含む請求項２４の方法。
【請求項２６】
前記ブートストラップＳＤＬを取得することは、前記モバイルネットワークのマクロセルに結合することと、前記ＵＴデータを前記マクロセルに提出することをさらに含む請求項２５の方法。
【請求項２７】
前記モバイルネットワークに結合されたフェムトセルのスタートアップ又は取得を容易にするためにブートストラップモードに入ることをさらに含む請求項２４記載の方法。
【請求項２８】
隣接ネットワークアクセスポイントの無線信号を解析することと、前記信号の強度又は品質の統計を決定することをさらに含む請求項２４記載の方法。
【請求項２９】
ブートストラップペアリングルーチンに関連してフェムトアクセスポイントへの前記統計を提出することをさらに含む請求項２８記載の方法。
【請求項３０】
前記カスタムＳＤＬは、前記フェムトアクセスポイントに提出された前記統計の少なくとも一部に基づく請求項２９の方法。
【請求項３１】
前記好適なアクセスポイントを探索し、識別するために前記カスタムＳＤＬを使用することをさらに含む請求項２４記載の方法。
【請求項３２】
前記カスタムＳＤＬを利用して前記好適なアクセスポイントが認識できない場合、より少ない好適なアクセスポイントにアクセスすることをさらに含む請求項２４記載の方法。
【請求項３３】
前記より少ない好適なアクセスポイントに結合されている間、前記好適なアクセスポイントを定期的に探索することをさらに含む請求項３２記載の方法。
【請求項３４】
前記ＵＴに関連した現在のＧＥＯを認識し、前記現在のＧＥＯが前記ＵＴの前記ホームＧＥＯである場合、前記好適なセルとしてホームフェムトセルを認識することをさらに含む請求項２４記載の方法。
【請求項３５】
ユーザ端末（ＵＴ）データをメモリ或いはユーザ入力から取得するプロセッサと、
前記ＵＴデータをネットワークアクセスポイントへ提供する送信器と、
前記ＵＴのアクセス機能に基づいて、好適なアクセスポイントを特定するカスタムシステム決定リスト（ＳＤＬ）を取得する基地局再選択モジュールとを含み、
前記ＵＴの前記アクセス機能は、前記ＵＴがフェムト対応であるか、フェムト対応でないかを示し、
前記好適なアクセスポイントが前記アクセス機能に基づいて、少なくとも一部にフェムトかマクロであり、
前記カスタムＳＤＬは無線通信のための前記ＵＴによって前記好適なアクセスポイントの優先の選択を容易にし、
前記ＵＴがフェムト対応であり、ホーム地理的領域（ＧＥＯ）で動作している場合、フェムトが前記ＳＤＬにおけるアクセスポイントの好適なタイプであり、
前記ＵＴがフェムト対応でない場合、および／または、前記ＵＴがフェムト対応であり、前記ホームＧＥＯで動作していない場合、マクロが前記ＳＤＬにおけるアクセスポイントの好適なタイプであるユーザ端末（ＵＴ）。
【請求項３６】
ブートストラップセルＩＤ及びブートストラップ周波数チャネルを含むモバイルネットワークからのブートストラップＳＤＬを取得するスタートアップモジュールをさらに含む請求項３５記載のＵＴ。
【請求項３７】
前記ＵＴは前記ブートストラップＳＤＬを取得するために前記モバイルネットワークのマクロセルに結合される請求項３６記載のＵＴ。
【請求項３８】
前記スタートアップモジュールは、前記モバイルネットワークに結合されたフェムトセルのスタートアップ又は取得を容易にするためにブートストラップモードに入る請求項３６記載のＵＴ。
【請求項３９】
隣接ネットワークアクセスポイントの無線信号を監視し、前記信号の強度又は品質統計を決定する解析モジュールをさらに含む請求項３５記載のＵＴ。
【請求項４０】
前記プロセッサは、ブートストラップペアリングルーチンに関連してフェムトアクセスポイントへの前記統計を提出する請求項３９記載のＵＴ。
【請求項４１】
前記カスタムＳＤＬは、前記フェムトアクセスポイントへ提出された前記統計の少なくとも一部に基づく請求項４０記載のＵＴ。
【請求項４２】
前記基地局再選択モジュールは、前記好適なアクセスポイントを探索し、識別するために前記カスタムＳＤＬを使用する請求項３５記載のＵＴ。
【請求項４３】
前記基地局再選択モジュールは、前記カスタムＳＤＬを利用して前記好適なアクセスポイントが認識できない場合、より少ない好適なアクセスポイントにアクセスする請求項３５記載のＵＴ。
【請求項４４】
前記基地局再選択モジュールは、前記より少ない好適なアクセスポイントに結合されている間、前記好適なアクセスポイントを定期的に探索する請求項４３記載のＵＴ。
【請求項４５】
前記基地局再選択モジュールは、前記ＵＴに関連した現在のＧＥＯを認識し、前記現在のＧＥＯが前記ＵＴのホームＧＥＯである場合、前記好適なセルとしてホームフェムトセルを認識する請求項３５記載のＵＴ。
【請求項４６】
ユーザ端末（ＵＴ）データをメモリ或いはユーザ入力から取得する手段と、
前記ＵＴデータをネットワークアクセスポイントへ提供する手段と、
前記ＵＴのアクセス機能に基づいて、好適なアクセスポイントを特定するカスタムシステム決定リスト（ＳＤＬ）を取得する手段とを含み、
前記ＵＴの前記アクセス機能は、前記ＵＴがフェムト対応であるか、フェムト対応でないかを示し、
前記好適なアクセスポイントが前記アクセス機能に基づいて、少なくとも一部にフェムトかマクロであり、
前記カスタムＳＤＬは無線通信のための前記ＵＴによって前記好適なアクセスポイントの優先の選択を容易にし、
前記ＵＴがフェムト対応であり、ホーム地理的領域（ＧＥＯ）で動作している場合、フェムトが前記ＳＤＬにおけるアクセスポイントの好適なタイプであり、
前記ＵＴがフェムト対応でない場合、および／または、前記ＵＴがフェムト対応であり、前記ホームＧＥＯで動作していない場合、マクロが前記ＳＤＬにおけるアクセスポイントの好適なタイプであるユーザ端末（ＵＴ）。
【請求項４７】
命令を格納したコンピュータ読取可能な記憶媒体であって、前記命令は、ネットワークエンティティによって実行された場合に前記ネットワークエンティティに処理を実行させ、前記命令は、
前記ネットワークエンティティにユーザ端末（ＵＴ）を識別するデータを取得させる少なくとも１つの命令と、
前記ネットワークエンティティに前記ＵＴのアクセス機能を決定するために前記データを使用させる少なくとも１つの命令と、前記ＵＴのアクセス機能は、前記ＵＴがフェムト対応であるか、フェムト対応でないかを示し、
前記ネットワークエンティティに前記アクセス機能に基づいて、少なくとも一部にフェムトかマクロである好適なアクセスポイントを有する前記ＵＴのカスタムシステム決定リスト（ＳＤＬ）を生成させる少なくとも１つの命令と、前記カスタムＳＤＬは前記ＵＴによって前記好適なアクセスポイントの優先の選択を容易にし、
前記ネットワークエンティティに前記ＵＴへのネットワークアクセスを許可させ、又は拒否させる少なくとも１つの命令とを含み、
前記ＵＴがフェムト対応であり、ホーム地理的領域（ＧＥＯ）で動作している場合、前記好適なアクセスポイントがフェムトであり、
前記ＵＴがフェムト対応でない場合、および／または、前記ＵＴがフェムト対応であり、前記ホームＧＥＯで動作していない場合、前記好適なアクセスポイントがマクロである媒体。
【請求項４８】
命令を格納したコンピュータ読取可能な記憶媒体であって、前記命令は、ユーザ端末（ＵＴ）によって実行された場合に前記ＵＴに処理を実行させ、前記命令は、
前記ＵＴにＵＴデータをメモリ或いはユーザ入力から取得させる少なくとも１つの命令と、
前記ＵＴに前記ＵＴデータをネットワークアクセスポイントへ提供させる少なくとも１つの命令と、
前記ＵＴに前記ＵＴのアクセス機能に基づいて、好適なアクセスポイントを特定するカスタムシステム決定リスト（ＳＤＬ）を取得させる少なくとも１つの命令とを含み、
前記ＵＴの前記アクセス機能は、前記ＵＴがフェムト対応であるか、フェムト対応でないかを示し、
前記好適なアクセスポイントが前記アクセス機能に基づいて、少なくとも一部にフェムトかマクロであり、
前記カスタムＳＤＬは無線通信のための前記ＵＴによって前記好適なアクセスポイントの優先の選択を容易にし、
前記ＵＴがフェムト対応であり、ホーム地理的領域（ＧＥＯ）で動作している場合、フェムトが前記ＳＤＬにおけるアクセスポイントの好適なタイプであり、
前記ＵＴがフェムト対応でない場合、および／または、前記ＵＴがフェムト対応であり、前記ホームＧＥＯで動作していない場合、マクロが前記ＳＤＬにおけるアクセスポイントの好適なタイプである媒体。
【発明の詳細な説明】
【技術分野】
【０００１】
米国特許法第１１９条の下での優先権の主張
本特許出願は、次の米国仮出願に対する優先権を主張するものである。
【０００２】
２００７年１０月９日に出願した米国特許出願第６０／９７８７４４号、名称「ＳＹＳＴＥＭ  ＡＮＤ  ＭＥＴＨＯＤ  ＴＯ  ＦＡＣＩＬＩＴＡＴＥ  ＡＣＱＵＩＳＩＴＩＯＮ  ＯＦ  ＡＣＣＥＳＳ  ＰＯＩＮＴ  ＢＡＳＥ  ＳＴＡＴＩＯＮＳ」、
２００７年１０月９日に出願した米国特許出願第６０／９７８７４６号、名称「ＳＹＳＴＥＭ  ＡＮＤ  ＭＥＴＨＯＤ  ＴＯ  ＯＰＴＩＭＩＺＥ  ＡＣＱＵＩＳＩＴＩＯＮ  ＯＦ  ＡＣＣＥＳＳ  ＰＯＩＮＴ  ＢＡＳＥ  ＳＴＡＴＩＯＮＳ」、
２００７年１０月９日に出願した米国特許出願第６０／９７８７４７号、名称「ＳＹＳＴＥＭ  ＡＮＤ  ＭＥＴＨＯＤ  ＴＯ  ＦＡＣＩＬＩＴＡＴＥ  ＰＲＥＦＥＲＲＥＤ  ＲＯＡＭＩＮＧ  ＬＩＳＴ  ＰＲＯＶＩＳＩＯＮＩＮＧ  ＩＮ  ＡＣＣＥＳＳ  ＰＯＩＮＴ  ＢＡＳＥ  ＳＴＡＴＩＯＮＳ」、および
２００７年１０月９日に出願した米国特許出願第６０／９７８７５０号、名称「ＳＹＳＴＥＭ  ＡＮＤ  ＭＥＴＨＯＤ  ＴＯ  ＦＡＣＩＬＩＴＡＴＥ  Ａ  ＣＥＮＴＲＡＬＩＺＥＤ  ＦＥＭＴＯ  ＰＲＥＦＥＲＲＥＤ  ＲＯＡＭＩＮＧ  ＬＩＳＴ  ＣＯＮＦＩＧＵＲＡＴＩＯＮ」
前述のそれぞれが、本願の譲受人に譲渡され、これによって、参照によって本明細書に特に組み込まれる。
【０００３】
同時係属の特許出願の参照
本特許出願は、本願の譲受人に譲渡され、参照によって本明細書に特に組み込まれる、本願と同時に出願された、Ｓｒｉｎｉｖａｓａｎ  Ｂａｌａｓｕｂｒａｍａｎｉａｎの同時係属の米国特許出願「ＣＥＮＴＲＩＺＥＤ  ＭＯＢＩＬＥ  ＡＣＣＥＳＳ  ＰＯＩＮＴ  ＡＣＱＵＩＳＩＴＩＯＮ」、弁理士整理番号第０７２３５７Ｕ１号に関係する。
【０００４】
次の開示は、全般的には無線通信に関し、より具体的には、混合アクセスポイント環境でのデバイスの遠隔アクセスの管理に関する。
【背景技術】
【０００５】
無線通信システムは、複数のユーザにさまざまなタイプの通信（たとえば、音声、データ、マルチメディアサービスなど）を提供するために、広く配備されている。加入ベースのサービスは、ユーザが、サービスプロバイダのネットワークを介してさまざまな通信コンテンツにアクセスし、これを利用することを可能にする。高レートデータサービスおよびマルチメディアデータサービスの需要がすばやく増大するにつれて、高められた性能を有する効率的で頑健な通信システムを実施するための課題がある。
【０００６】
ディジタル加入者回線（ＤＳＬ）、ケーブル回線、ダイヤルアップ、またはインターネットサービスプロバイダ（ＩＳＰ）によって提供される類似するネットワークアクセステクノロジなどの伝統的な固定回線通信システムは、無線通信に対する代替の、時々競合する通信プラットフォームである。しかし、近年、ユーザは、固定回線通信をモバイル通信に置換し始めた。ユーザモビリティ、ユーザ機器（ＵＥ）の小さい相対サイズ、および公衆交換電話ネットワークならびにインターネットへのたやすいアクセスなどのモバイル通信システムの複数の利益は、そのようなシステムを非常に便利にし、したがって非常に人気のあるものにしてきた。ユーザが、伝統的に固定回線システムを介して取得された通信サービスについてモバイルシステムにより多く頼り始めるにつれて、増やされた帯域幅、信頼できるサービス、高い音声品質、および低い価格に対する需要が高まってきた。
【０００７】
現在配置されている携帯電話ネットワークに加えて、新しいクラスの小さい基地局が現れた。これらの小さい基地局は、低出力であり、通常は、携帯電話会社のコアネットワークに接続するのに固定回線通信を利用することができる。さらに、これらの基地局を、屋内／屋外無線カバレージをモバイルユニットに提供するために、家庭、オフィス、アパート、私有レクリエーション施設などでの個人的／私的使用のために分散させることができる。これらの個人的基地局は、一般に、アクセスポイント基地局またはその代わりにｈｏｍｅ  Ｎｏｄｅ  Ｂユニット（ＨＮＢ）もしくはフェムトセルとして知られる。フェムトセル基地局は、モバイルネットワーク接続性における新しいパラダイムを提供し、モバイルネットワークアクセスおよびアクセス品質の直接加入者制御を可能にする。
【発明の概要】
【０００８】
次では、１つまたは複数の態様の基本的理解を提供するために、そのような態様の単純化された要約を提示する。この要約は、すべての企図される態様の広範囲の概要ではなく、すべての態様の主要なまたはクリティカルな要素を識別することも、任意のまたはすべての態様の範囲を区切ることも意図されてはいない。その唯一の目的は、後で提示されるより詳細な説明の前置きとして単純化された形で１つまたは複数の態様のいくつかの概念を提示することである。
【０００９】
本開示は、さまざまなタイプのモバイルネットワークアクセスポイントに対する集中アクセス管理ならびに分散アクセス管理を提供する。いくつかの態様では、ネットワークコンポーネントは、ユーザ端末（ＵＴ）のアクセス機能および／またはＵＴの現在位置にカスタマイズされる、ＵＴのシステム決定リスト（system determination list）（ＳＤＬ）を生成することができる。どのネットワークアクセスポイントにキャンプすべきか、ハンドオフすべきかなどを決定するために、ＳＤＬをＵＴによって使用することができる。ネットワークコンポーネントは、ＵＴ加入者および関連するホームフェムトセル情報またはネットワークオペレータのホームロケーションレジスタ（home location register）（ＨＬＲ）を維持するネットワークデータベースを含むことができる。代替案では、この情報を、ＵＴからまたはＵＴによってサービスされる基地局（ＢＳ）から無線で（ＯＴＡ）取得することができる。
【００１０】
本開示の他の態様では、分散アクセスポイント管理を提供するために、ネットワークアクセスポイント管理をフェムト対応ＵＴおよび／またはモバイルネットワークのアクセスポイントによって管理することができる。フェムトセルで維持されるインターフェースアプリケーションは、フェムトセルとフェムト対応ＵＴとの間の通信を容易にすることができる。初期パワーアップおよび／または獲得時に、ブートストラッププロセスを、フェムトセルとフェムトＵＴとの間の接続を確立するために実施することができる。ブートストラッププロセスを、特定の地理的地域（ＧＥＯ）またはホームＧＥＯ内の高優先順位アクセスポイントとしてフェムトセルを確立するＳＤＬをＵＴにプロビジョニングするのに、フェムトセルによって利用することができる。したがって、フェムトＵＴがホームＧＥＯ内にある時に、そのＵＴは、そのフェムトセルを獲得し、そこでキャンプし、かつ／またはそれにハンドオフする可能性がより高い。ホームＧＥＯの外にある時に、モバイルネットワークは、フェムトＵＴにＯＴＡで、より高い優先順位のアクセスポイントとして非フェムトセルを確立する、非ホームＧＥＯ領域に適するカスタムＳＤＬをプロビジョニングすることができる。
【００１１】
本開示のいくつかの態様では、モバイルネットワークへの遠隔アクセスを容易にする方法が提供される。この方法は、ＵＴを識別するデータを取得することと、ＵＴのアクセス機能を決定するためにデータを使用することとを備えることができる。さらに、この方法は、アクセス機能の少なくとも一部に基づいて決定された好適なアクセスポイントを有するＵＴのカスタムシステム決定リスト（ＳＤＬ）生成し、ＳＤＬは好適なアクセスポイントの選択を容易にする。前述に加えて、方法はＵＴへのネットワークアクセスを許可し、拒否することを含むことができる。
【００１２】
開示された主題の他の観点では、モバイルネットワークへの遠隔アクセスを容易にするように構成されるフェムト基地局（ＢＳ）が提供される。フェムトＢＳは、ＵＴを識別するデータを取得する受信器と、ＵＴのアクセス機能を決定するためのデータを使用する通信プロセッサを有する。さらに、フェムトＢＳは、アクセス機能の少なくとも一部に基づいて決定された好適なアクセスポイントを有するＵＴのカスタムＳＤＬを生成するＳＤＬ供給モジュールを有し、ＳＤＬは好適なアクセスポイントの選択を容易にする。さらに、フェムトＢＳは、ＵＴへのネットワークアクセスを許可し、又は拒否するために使用されるＣＳＧを有する。
【００１３】
他の観点では、モバイルネットワークへの遠隔アクセスを容易にする装置が開示されている。装置は、ブートストラップ取得モードを開始するためのブートストラップパラメータを使用する手段と、ＵＴ  ＩＤデータからのＵＴのアクセス機能を取得する手段とを具備する。さらに、装置はアクセス機能の少なくとも一部に基づいて決定された好適なアクセスポイントを有するＵＴのカスタムＳＤＬを生成する手段を具備し、ＳＤＬは好適なアクセスポイントの選択を容易にする。さらに、装置はＵＴへのネットワークアクセスを許可し、又は拒否するための手段を具備する。
【００１４】
１つ以上のさらなる観点によれば、モバイルネットワークへの遠隔アクセスを容易にするように構成されたプロセッサが開示されている。プロセッサは、ＵＴを識別するデータを取得する第１のモジュール及びＵＴのアクセス機能を決定するデータを使用する第２のモジュールを有する。さらに、プロセッサは、アクセス機能の少なくとも一部に基づいて決定された好適なアクセスポイントを有するＵＴのカスタムＳＤＬを生成する第３のモジュールを有し、ＳＤＬは好適なアクセスポイントの選択を容易にする。前述に加えてプロセッサは、ＵＴへのネットワークアクセスを許可し、拒絶する第４のモジュールを有する。
【００１５】
少なくとも１つの追加的な観点では、コンピュータ読取可能な媒体を含むコンピュータプログラム製品が開示される。コンピュータ読取可能な媒体は、コンピュータにＵＴを識別するデータを取得させる第１のコードの組と、コンピュータにＵＴのアクセス機能を決定するためにデータを使用させる第２のコードの組とを有する。加えて、コンピュータ読取可能な媒体は、コンピュータにアクセス機能の少なくとも一部に基づいて決定された好適なアクセスポイントを有するＵＴのカスタムＳＤＬ生成させる第３のコードの組を有し、ＳＤＬは好適なアクセスポイントの選択を容易にし、コンピュータにＵＴへのネットワークアクセスを許可し、拒否させる第４のコードの組を有する。
【００１６】
開示された主題の追加的な観点では、モバイルネットワークへの選択的なアクセスの方法が提供される。方法は、ＵＴデータをメモリ或いはユーザ入力から取得すること、ＵＴデータをネットワークアクセスポイントへ提供することを含む。さらに、ＵＴのアクセス機能に基づいて、少なくとも１つの好適なモバイルネットワークアクセスポイントを特定するカスタマイズされたＳＤＬを取得することを含み、ＳＤＬは好適なアクセスポイントとの無線通信を識別し、開始することを容易にする。
【００１７】
さらなる観点では、モバイルネットワークにアクセスするために構成されたＵＴが提供される。ＵＴは、ＵＴデータをメモリ或いはユーザ入力から取得するプロセッサと、ＵＴデータをネットワークアクセスポイントへ提供する送信器とを含む。さらに、ＵＴはＵＴのアクセス機能に基づいて、少なくとも１つの好適なモバイルネットワークアクセスポイントを特定するカスタマイズされたＳＤＬを取得することを含み、ＳＤＬは好適なアクセスポイントとの無線通信を識別し、開始することを容易にする。
【００１８】
前述に加えて、モバイルネットワークへの選択的なアクセスのために構成された装置が開示されている。装置は、ブートストラップＳＤＬを取得する手段と、ブートストラップＳＤＬににおいて特定されたブートストラップチャネルを介してアクセスポイントに結合する手段とを具備している。さらに、装置はＵＴのアクセス機能に基づいて、少なくとも１つの好適なモバイルネットワークアクセスポイントを特定するカスタマイズされたＳＤＬを取得する手段を含み、ＳＤＬは好適なアクセスポイントとの無線通信を識別し、開始することを容易にする。
【００１９】
１つ以上の他の観点によれば、モバイルネットワークへの選択的なアクセスのために構成されるプロセッサが開示される。プロセッサは、ＵＴデータをメモリ或いはユーザ入力から取得する第１のモジュールと、ＵＴデータをネットワークアクセスポイントへ提供する第２のモジュールとを具備する。さらに、プロセッサはＵＴのアクセス機能に基づいて、少なくとも１つの好適なモバイルネットワークアクセスポイントを特定するカスタマイズされたＳＤＬを取得する第３のモジュールを具備し、ＳＤＬは好適なアクセスポイントとの無線通信を識別し、開始することを容易にする。
【００２０】
少なくとも１つの追加的な観点では、コンピュータ読取可能な媒体を含むコンピュータプログラム製品が開示される。コンピュータ読取可能な媒体は、コンピュータにＵＴデータをメモリ或いはユーザ入力から取得させる第１のコードの組と、コンピュータにＵＴデータをネットワークアクセスポイントへ提供させる第２のコードの組とを含む。さらに、コンピュータ読取可能な媒体は、コンピュータにＵＴのアクセス機能に基づいて、少なくとも１つの好適なモバイルネットワークアクセスポイントを特定するカスタマイズされたＳＤＬを取得させる第３のコードの組を含み、ＳＤＬは好適なアクセスポイントとの無線通信を識別し、開始することを容易にする。
【００２１】
前述および関連する結果の達成に向けて、１つまたは複数の態様は、下で十分に説明され、特に特許請求の範囲で指摘される特徴を備える。次の説明および添付図面は、１つまたは複数の態様のある例示的態様を詳細に示す。しかし、これらの態様は、さまざまな態様の原理を使用できるさまざまな形のうちのごく小数を示し、説明される態様は、すべてのそのような態様およびその同等物を含むことが意図されている。
【図面の簡単な説明】
【００２２】
【図１】本開示の態様による例の無線通信環境を示すブロック図。
【図２】他の態様によるフェムトセル基地局（ＢＳ）を備えるサンプルの無線通信環境を示すブロック図。
【図３】フェムトセル獲得のためのユーザ端末（ＵＴ）へのシステム決定リスト（ＳＤＬ）のプロビジョニングのサンプルシステムを示すブロック図。
【図４】ＵＴの機能に基づいて選択的ＢＳ獲得を容易にする例のシステムを示すブロック図。
【図５】ＵＴの分散アクセスポイント管理を使用するサンプルシステムを示すブロック図。
【図６】本明細書で開示されるいくつかの態様に従ってＵＴをプロビジョニングするのにブートストラップ構成を利用する例のシステムを示すブロック図。
【図７】に散在するさまざまなフェムトセルネットワークおよびマクロアクセス環境を備える例の環境を示す図。
【図８】いくつかの態様によるＧＥＯ固有アクセスポイント管理を容易にする例のカスタマイズされたＳＤＬを示すブロック図。
【図９】いくつかの態様による１つまたは複数のＵＴに通信的に結合されたフェムトＢＳを備える例のシステムを示すブロック図。
【図１０】１つまたは複数のＢＳに通信的に結合されたフェムト対応ＵＴを備えるサンプルシステムを示すブロック図。
【図１１】モバイル環境で集中アクセスポイント管理を提供する例の方法論を示す流れ図。
【図１２】いくつかの態様によるカスタマイズされたＳＤＬを生成するためにＵＴ固有情報を得る例の方法論を示す流れ図。
【図１３】モバイルネットワークにアクセスするためにカスタムＳＤＬを使用するサンプルの方法論を示す流れ図。
【図１４】モバイル環境で分散アクセスポイント管理を提供する例の方法論を示す流れ図。
【図１５】特定のＵＴのためにカスタマイズされたＳＤＬを生成するためにフェムトセルとインターフェースする例の方法論を示す流れ図。
【図１６】モバイルネットワークへの好ましいアクセスポイントを選択するためにカスタムＳＤＬを使用するサンプルの方法論を示す流れ図。
【図１７】移動ネットワーキングに関する集中アクセスポイント管理を提供する例のシステムを示すブロック図。
【図１８】モバイルネットワークＢＳにアクセスするためにカスタムＳＤＬを使用する例のシステムを示すブロック図。
【図１９】移動ネットワーキングに関する分散アクセスポイント管理を提供する例のシステムを示すブロック図。
【図２０】モバイルネットワークの分散アクセスポイント管理を容易にする例のシステムを示すブロック図。
【発明を実施するための形態】
【００２３】
さまざまな態様を、これから図面を参照して説明するが、類似する符号は、終始類似する要素を指すのに使用される。次の説明では、説明において、１つまたは複数の態様の完全な理解を提供するために、多数の特定の詳細を示す。しかし、そのような態様（１つまたは複数）を、これらの特定の詳細なしで実践できることは明らかであろう。他の場合には、周知の構造およびデバイスは、１つまたは複数の態様の説明を容易にするために、ブロック図形式で示す。
【００２４】
さらに、本開示のさまざまな態様を、下で説明する。本明細書の教示をさまざまな形で実施できること、ならびに本明細書で開示される任意の特定の構造および／または機能が、単に代表的であることは明白であろう。本明細書の教示に基づいて、当業者は、本明細書で開示される態様を任意の他の態様と独立に実施できること、およびこれらの態様のうちの複数をさまざまな形で組み合わせることができることを了解するに違いない。たとえば、本明細書で示される態様のうちの任意の個数を使用して、装置を実施し、かつ／または方法を実践することができる。さらに、本明細書で示される態様のうちの１つまたは複数に加えてまたはそれ以外の、他の構造および／または機能性を使用して、装置を実施し、かつ／または方法を実践することができる。一例として、本明細書で説明される方法、デバイス、システム、および装置のうちの多数は、異なるタイプのアクセスポイントを備えるモバイル環境での改善されたネットワークアクセスの実施の文脈で説明される。当業者は、類似する技法を他の通信環境に適用できることを了解するに違いない。
【００２５】
通信ネットワークへの無線アクセスポイントの開発は、伝統的な無線通信システムと伝統的な固定回線通信システムとの間の集中をもたらすために提供された１つの解決策であった。この集中は、それ以外にｆｉｘｅｄ−ｗｉｒｅｌｅｓｓ  ｃｏｎｖｅｒｇｅｎｃｅとして知られるが、固定回線ネットワーク（たとえば、イントラネット、インターネットなど）とモバイル通信ネットワーク（たとえば、セル電話ネットワーク）との間のある度合のインターオペラビリティを伴う。基地局（ＢＳ）は、回線交換音声ネットワーク（たとえば、符号分割多元接続［ＣＤＭＡ］１−ＸネットワークまたはＣＤＭＡ１Ｘネットワーク）、組み合わされた回線交換およびパケット交換音声およびデータネットワーク（たとえば、ＣＤＭＡ  ｅｖｏｌｕｔｉｏｎ  ｄａｔａ  ｏｐｔｉｍｉｚｅｄ［ＥＶ−ＤＯ］ネットワーク）、完全パケット音声およびデータネットワーク（たとえば、ｌｏｎｇ  ｔｅｒｍ  ｅｖｏｌｕｔｉｏｎ［ＬＴＥ］ネットワーク）、または類似物など、モバイル通信オペレータのネットワークへの無線アクセスを提供する。アクセスポイントＢＳ（本明細書では別の形でＢＳと称する）は、マクロセル、マイクロセル、ピコセル、フェムトセルなどを含むさまざまな送信電力／セルサイズの、Ｎｏｄｅ  Ｂ（ＮＢ）、無線基地局（ＢＴＳ）ｈｏｍｅ  Ｎｏｄｅ  Ｂ（ＨＮＢ）、または単純にＢＳを含む。
【００２６】
伝統的なマクロＢＳネットワークへのさまざまなタイプのアクセスポイントＢＳの導入は、そのようなネットワークへの個人的アクセスに対する高い柔軟性および消費者制御を可能にする。ユーザは、しばしば、どちらがよりよい信号を供給するかに依存して、近くのアクセスポイントＢＳまたはマクロネットワークＢＳを選択するように端末デバイスを構成することができる。さらに、アクセスポイントＢＳは、少なくともいくつかの情況で、マクロネットワークと比較して好ましい料金プランを提供でき、ユーザが使用料を減らすことを可能にする。
【００２７】
しかし、通常のマクロネットワークは、しばしば、主要な市場として大規模公衆使用を伴って配備されるので、屋内受信は、しばしば、屋外受信より悪くなる可能性があり（たとえば、建物、断熱材、地盤緑化（ground landscaping）などによるラジオ周波数信号の吸収に起因して）、モバイルデバイスを、そのような環境で固定回線コンピュータより非効率的にする。しかし、アクセスポイントＢＳは、この環境で大きい改善を提供することができる。一例として、フェムトセルテクノロジは、ユーザに、屋内および屋外で個人的無線接続性に対する重要な制御を与え、しばしば、そのような接続性問題のほとんどまたはすべてを事前に除去する。したがって、フェムトＢＳは、マクロネットワークに関する準最適環境においてさえ、ＵＴモビリティをさらに拡張することができる。
【００２８】
フェムトＢＳおよび他のアクセスポイント配備の大きい利益にもかかわらず、フェムトＢＳをオペレータのマクロネットワークに結合する際の追加された複雑さに起因して、いくつかの問題が生じた。たとえば、アクセスポイント配備は、特にフェムトセルの場合に、通常は無計画または半計画的であり、これは、これらのＢＳが、ネットワークオペレータの制御の外でインストールされることを意味する。したがって、オペレータは、これらのアクセスポイント相対的な他のそのようなアクセスポイントまたは相対的なマクロＢＳの理想的配置を実施するための限られた能力を有する。さらに、無線信号相対的他のフェムトセルの空間整形（spatial shaping）またはそのようなセルの位置決定（position location）の正確な知識さえ、深刻に制限され得る。さらに、フェムトＢＳ配備が消費者の購入およびインストールを受け入れる場合に、そのようなセルの非常に密なインストールが、人口の多い都市区域または商業区域で発生する可能性があり、これは、近くのフェムトセルおよびマクロセルの中での無線リソース競合につながる。さらに、フェムトＢＳは、ｃｌｏｓｅｄ  ｓｕｂｓｃｒｉｂｅｒ  ｇｒｏｕｐ（ＣＳＧ）に関連付けられ、ＣＳＧのメンバだけにネットワークアクセスを提供することができ、そのような場合のアクセスは、たとえば、一般のセルラ公衆には提供されない。したがって、マクロネットワークの中のフェムト配備は、限定アクセス（restricted access）（ＲＡ）を一般アクセス（general access）（ＧＡ）ＢＳと統合する。
【００２９】
多くのレガシＵＴは、特にＧＡ  ＢＳとＲＡ  ＢＳとの両方がセルラ周波数を利用する場合に、ＧＡ  ＢＳおよびＲＡ  ＢＳを区別する備えを有しておらず、したがって、あるＵＴへのサービスを拒否するＲＡ  ＢＳを探索し、これへのアクセスを試みて大量の電力を費やす可能性がある。さらに、レガシ端末およびレガシ無線ネットワーキング標準規格は、モバイル端末が、最適信号を識別するために着信無線信号をスキャンすることを要求する。その端末が区別できる２〜３個の近くのＢＳだけがある場合に、これは、通常、実行できるプロセスである。しかし、密なアクセスポイント配備では、数十個または数百個のアクセスポイントが、非常に近くに存在し得る（たとえば、大都市の共同住宅内）。あるＵＴを含むＣＳＧを有するそのＵＴのホームアクセスポイントが、密な配備の中にある場合に、近くに配置された数百個または数千個のフォーリンアクセスポイント（foreign access point）からホームアクセスポイントを区別することが、重大な問題になる可能性がある。たとえば、ＵＴは、そのＵＴへのネットワークアクセスを拒否するフォーリンアクセスポイントにキャンプする（パイロットチャネルおよび制御チャネルを分析する）かシグナリングするのに多くの電力を利用する可能性が高い。
【００３０】
ＵＴが、ホームアクセスポイントを含む領域内にない場合（または、たとえば、ＵＴがフェムトＢＳへのアクティブな加入を有しない場合）には、問題は、一般アクセス（ＧＡ）ＢＳからＲＡ  ＢＳを区別し、ＲＡ  ＢＳを無視することになる。さらに、フェムトＢＳを、マクロネットワークとは別々の周波数に配備することができるが、いくつかの情況で、フェムトセルおよびマクロセルが、１つまたは複数のネットワーク周波数を共有し、したがって、そう簡単には区別されなくなる。したがって、フェムトＢＳをマクロネットワークＢＳから区別する必要が存在する。さらに、ホームＢＳが見つからない可能性が高い時に、ＵＴシグナリングをＲＡ  ＢＳに制限することが有益であり得る。さらに、ホームＢＳが見つかると期待される場合にＲＡ  ＢＳに関するシグナリングまたは探索の尤度を高め、フォーリンフェムトＢＳへの冗長シグナリングを緩和することが有益であり得る。本開示の諸態様は、前述の問題の多くに対する改善を提供することができる。
【００３１】
前述の問題および類似する問題の一部に対処するために、本開示は、混合マクロおよびフェムトセルアクセスネットワークへのユーザ端末アクセスに関するモバイル通信ネットワークパラメータ化を提供する。パラメータ化は、適用可能な時に、ＵＥが好ましいセルを発見する尤度を改善するためにＵＴをあるタイプまたは別のタイプのセル、周波数チャネル、または類似物に向け、あるいは好ましくないセルを無視するのに利用することができる。いくつかの実施態様では、マクロネットワークシステム識別子（ＳＩＤ）とは別々のフェムトＳＩＤが、すべてのフェムトセルについて予約される。したがって、フェムトＳＩＤを送信するフェムトセルを、受信端末によってマクロＢＳから区別することができる。さらに、別個のネットワークＩＤまたはノードＩＤ（ＮＩＤ）が、フェムトネットワークの各フェムトセルに割り当てられる。いくつかの態様では、たとえばＮＩＤ再利用が要求される場合に、セルＩＤを各フェムトセルにさらに割り当てることができ、このフェムトセルは、オプションで、加入者の物理的住所、移動局識別子（mobile station identifier）（ＭＳＩ）、または国際ＭＳＩ（international MSI）（ＩＭＳＩ）、あるいは類似物などの追加データに基づいて変更されたＮＩＤを備えることができる。したがって、送信される信号にＳＩＤ／ＮＩＤ／セルＩＤを含めることによって、フェムトＢＳを、マクロＢＳから区別でき、他のフェムトＢＳから区別することができる。
【００３２】
したがって、たとえば、上で述べたパラメータ化は、フェムトＳＩＤ／ＮＩＤおよびオプションでセルＩＤに基づいて、フェムトセル対応ＵＴを近くのフェムトセルにまたはフェムトセルによって使用される周波数チャネルに向けるのに使用することができる。パラメータ化は、好ましいまたは高優先順位のネットワークアクセスポイントとしてホームフェムトセル（１つまたは複数）を識別することができる。フェムトＵＥが、ホームフェムトセルによって送信された無線信号を検出する場合に、好ましいまたは高優先順位の状況は、フェムトＵＴにそのようなセルを獲得させ、または別のネットワークセルに既にキャンプしている場合にはそのようなセルにハンドオフさせることができる。フェムトＵＴが、現在、ホームフェムトセルにキャンプしていない場合には、そのＵＴは、好ましいフェムトセルを発見するために近くのセルを周期的に探索することができる。
【００３３】
本開示のいくつかの態様では、第２のパラメータ化を非フェムト対応ＵＴまたはマクロＵＴに提供し、そのような端末をフェムトセルから離れてまたはマクロセルに向かってあるいはその両方に向けることができる。フェムトセルが、マクロセルと共通の周波数チャネルまたは搬送波を共有する場合には、パラメータ化は、フェムトセルに対して相対的に好ましいまたは高優先順位のセルとしてマクロセルを確立することができる。そのような相対優先順位は、マクロＵＴに、フェムトセルよりマクロセルを選択させ、またはマクロＵＴに、フェムトセルにキャンプしている時にマクロセルを周期的に探索させることができる。フェムトセルおよびマクロセルが別々の周波数チャネル上に配備される場合には、パラメータ化は、フェムトセルデータを除外し、マクロＵＴに、フェムトセルによって開始された信号を無視させることができる。本開示の少なくともいくつかの態様では、パラメータ化は、オプションで特定の地理的領域またはネットワークのアクセス／登録領域の関数として、セル優先順位を確立するシステム決定リスト（ＳＤＬ（下を参照されたい））（たとえば、好ましいローミングリスト）を備えることができる。したがって、マクロＵＴおよびフェムト対応ＵＴには、ＵＴがどこに配置されるかにオプションで依存して、特定のタイプのセルが獲得される尤度を高めるために選択的にプロビジョニングすることができる（下を参照されたい）。
【００３４】
さらに他の態様によれば、特定のタイプのセルに向けてまたはこれから離れてＵＴを向けることを、ＵＴが現在配置されている地理的地域（ＧＥＯ）に基づいて実施することができる。たとえば、フェムト対応ＵＴが、ホームフェムトセルが配置されているＧＥＯ内にある場合に、フェムトセルを好むようにフェムトＵＴに指示するネットワークパラメータ化（たとえば、ＳＤＬ）を提供することができる。その代わりにまたはそれに加えて、パラメータ化は、現在のＧＥＯの関数としてセル優先順位を指定することができる。したがって、ホームＧＥＯ（１つまたは複数）内では、パラメータ化は、マクロセルなどの他のセルと比較して、より高い相対優先順位のセルとしてフェムトセルを指定することができる。その一方で、フェムトセルには、フェムトＵＴが非ホームＧＥＯ内にある時に、最も低い優先順位を与えることができる。そのような形で、パラメータ化セットは、ＵＴがＧＥＯからＧＥＯへ移動する時に、ネットワークによって更新される必要がない。どちらの場合でも、相対セル優先順位を、フェムトＵＴが配置されている現在のＧＥＯに基づいて、フェムトＵＴがホームフェムトセルを見つけると期待できるかどうかの関数として確立することができる。
【００３５】
ＵＴの機能および／またはＵＴの位置に基づいて、ＵＴに適当なパラメータ化をプロビジョニングすることを、さまざまな適切な形で実施することができる。少なくとも１つの態様では、ＵＴ固有情報を備えるフェムトデータベースを、モバイルネットワークで維持することができる。ＵＴが、あるセルで登録を試みる時に、そのＵＴを識別する情報を、ネットワークに提供することができる。その後、ネットワークは、そのＵＴがマクロセルまたはフェムトセルのどちらで登録を試みているのかを決定することができ、後者の場合には、フェムトセルが、そのＵＴがモバイルネットワークにアクセスすることを認可されるホームセルまたは、そのＵＴがそのようなアクセスを認可されないエイリアンセル（alien cell）のどちらであるかを決定することができる。ＵＴが、マクロセル上で登録しつつある場合には、パラメータ化を、無線で（ＯＴＡ）ＵＴに送信し（たとえば、マクロセルまたは近くのフェムトセルから）、オプションでそのＵＴがホームＧＥＯ内にあることに条件付けられて、そのＵＴが、フェムトセルを探索し、獲得する尤度を高めることができる。ＵＴがエイリアンフェムトセルで登録しつつある場合には、パラメータの異なるセットをそのＵＴに提供し、そのＵＴに、他のフェムトセルを検索させ、他の周波数で検索させ、マクロセルを検索させ、またはその組合せを行わせることができる。ＵＴがホームフェムトセルで登録しつつある場合には、第３のパラメータ化をそのＵＴに提供し、そのＵＴがホームフェムトセルに留まる尤度を高めることができる（たとえば、それを超えるとＵＴが他のセルを探索するか他のセルにハンドオフする、大きいしきい値を作成することによって）。
【００３６】
さらなる態様によれば、パラメータ化を、ＵＴがセルで登録する時のＵＴ情報に基づいて動的に実施することができる。そのような態様では、ＵＴ固有情報を、モバイルネットワークに提供することができ、このモバイルネットワークは、ＵＴのカスタマイズされたシステム決定リスト（ＳＤＬ）を生成しまたは更新することができる（たとえば、ｐｒｅｆｅｒｒｉｎｇ  ｒｏａｍｉｎｇ  ｌｉｓｔ［ＰＲＬ］または類似物）。カスタマイズされたＳＤＬは、ＵＴがフェムト対応であるかどうかに依存し、オプションでＵＴが現在配置されているＧＥＯがどれであるのかに依存して、ＵＴに適当なパラメータ化を含むことができる。それを用いてＳＤＬを動的に構成すべき、ＵＴ固有情報、現在のＧＥＯ情報、およびホームＧＥＯ情報を、さまざまな適切な形で取得することができる。少なくとも１つの態様では、ＵＴ情報およびホームＧＥＯを、ＵＴの携帯電話会社によって維持されるオペレータのディレクトリ（たとえば、ホームロケーションレジスタ［ＨＬＲ］または類似するデバイス）から取得することができる。他の態様では、ＵＴは、そのような情報を格納し、その情報を登録要求と共に提供することができる。さらに他の態様では、ユーザは、登録と共にアップロードするか、モバイルネットワークへのアップリンクチャネルで送信できる情報を、手動でＵＴに入力する（たとえば、サービス番号をダイヤルし、ＵＴ固有情報を含めることによって）ことができる。ネットワークがＵＴ固有情報を受信した後に、動的ＳＤＬを生成し、ＵＴにＯＴＡで送信することができる。
【００３７】
前述の代替案として、ブートストラップ手順を、フェムトＵＴがホームフェムトセルとペアになるかこれを用いて初期構成を確立する時に、特殊化されたブートストラップＳＤＬを生成するのに利用することができる。フェムトセルは、パワーアップし、モバイルネットワークに接続する時に、ブートストラップＳＤＬおよびフェムトＳＤＬを生成することができる。ブートストラップＳＤＬは、フェムトセルのアイデンティティならびにフェムトＵＴへのＳＤＬのプロビジョニングに利用されるブートストラップセルＩＤおよび／またはブートストラップ周波数チャネルを指定することができる。その一方で、フェムトＳＤＬは、通常のフェムトセル−ＵＴ通信で利用される通常のシステムチャネル、ネットワークチャネル、および周波数チャネルを指定することができる。フェムトＵＴが、フェムトセルと対にされる時には、ブートストラップＳＤＬおよびフェムトＳＤＬを、ＯＴＡでフェムトＵＴに送信することができる。フェムトＵＴは、最初にパワーアップする時または異なるモバイルシステムから切り替える（たとえば、ｔｈｉｒｄ  ｇｅｎｅｒａｔｉｏｎ  ｐａｒｔｎｅｒｓｈｉｐ  ｐｒｏｊｅｃｔ［３ＧＰＰ］システムと第３  ３ＧＰＰ２システムとの間での切替）時に、フェムトセルを獲得するためにブートストラップＳＤＬを利用することができる。獲得された後に、フェムトセルは、必要な場合にフェムトＵＴでフェムトＳＤＬを更新することができる。その後、フェムトＵＴは、フェムトセルを獲得し、他のセルを探索し、他のセルにハンドオフし、フェムトセルにハンドオフし、またはこれらの組合せを行うために、フェムトＳＤＬを利用することができる。
【００３８】
さらに他の態様によれば、フェムトセルが任意の適切なフェムトＵＴと通信することを可能にするアプリケーションインターフェースを、フェムトセル上で確立することができる。そのような通信は、フェムトＵＴが、フェムトセルに関連するｃｌｏｓｅｄ  ｓｕｂｓｃｒｉｂｅｒ  ｇｒｏｕｐ（ＣＳＧ）内に含まれるかどうか、したがってフェムトセルで登録することを認可されるかどうかを決定するために確立することができる。さらに、そのようなインターフェースは、フェムトセルに一時的にアクセスし、フェムトセルで登録するために、ゲストフェムトＵＴにプロビジョニングするのに利用することができる。アプリケーションインターフェースを介してフェムトセルへの接続を確立する時に、フェムトＵＴは、マクロセル信号および他の近くのフェムトセル信号を含む受信信号を分析し、周囲のネットワークに関する情報をフェムトセルに提供することができる。その後、フェムトセルは、周囲のネットワーク情報に基づく最適セル選択パラメータを含む動的ＳＤＬを生成することができる。たとえば、動的ＳＤＬは、マクロネットワークおよびフェムトセルに関する相対優先順位をセットすることができる。その代わりにまたはそれに加えて、動的ＳＤＬは、好ましいまたは好ましくないセルとして近くのフェムトセルを確立することができ、後者は、動的ＳＤＬによってブラックリストに入れられる。動的ＳＤＬを、フェムトＵＴに提供することができ、このフェムトＵＴは、セル選択手順およびハンドオフ手順でそのＳＤＬを利用することができる。周囲のネットワークの情報を使用することによって、動的セルは、ブラックリストに入れるべきエイリアンフェムトセルのネットワーク羅的リストを生成する必要がない。その代わりに、プロビジョニングするフェムトセルに干渉するのに十分に近い（たとえば、十分に強いパイロット信号を有する）フェムトセルだけを、ブラックリストに入れることができ、相対的に小さいサイズの動的ＳＤＬが可能になる。上記に加えて、周囲のネットワークに対する変更が発生する場合には、フェムトセルは、動的ＳＤＬを更新し、更新されたＳＤＬをアプリケーションインターフェースを介してフェムトＵＴにＯＴＡでプッシュすることができる。したがって、フェムトＵＴには、進化するネットワーク配備で探索機能および獲得機能を最適化するために、更新されたネットワーク情報をプロビジョニングすることができる。
【００３９】
本明細書で説明される技法は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、ＳＣ−ＦＤＭＡ（単一搬送波ＦＤＭＡ）、および他のシステムなどのさまざまな無線通信システムに使用することができる。用語「システム」および「ネットワーク」は、しばしば、交換可能に使用される。符号分割多元接続システムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ＣＭＤＡ２０００その他などの無線テクノロジを実施することができる。ＵＴＲＡは、広帯域符号分割多元接続（Ｗ−ＣＤＭＡ）および符号分割多元接続の他の変形を含む。ＣＤＭＡ２０００は、ＩＳ−２０００標準規格、ＩＳ−９５標準規格、およびＩＳ−８５６標準規格を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線テクノロジを含む。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）その他などの無線テクノロジを実施することができる。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。ＬＴＥ（ｌｏｎｇ  ｔｅｒｍ  ｅｖｏｌｕｔｉｏｎ）は、Ｅ−ＵＴＲＡを使用する、ＵＭＴＳの来るべきリリースであり、これは、ダウンリンクでＯＦＤＭＡ、アップリンクでＳＣ−ＦＤＭＡを使用する。ＵＴＲＡ、Ｅ−ＵＴＲＡ、ＵＭＴＳ、ＬＴＥ、およびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名前の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名前の組織からの文書に記載されている。
【００４０】
本開示で使用される時に、用語「コンポーネント」、「システム」、「モジュール」、および類似物は、ハードウェア、ソフトウェア、実行中のソフトウェア、ファームウェア、ミドルウェア、マイクロコード、および／またはこれらの組合せのいずれかの、コンピュータ関連のエンティティを指すことが意図されている。たとえば、モジュールは、プロセッサで動作するプロセス、プロセッサ、オブジェクト、実行可能ファイル、実行のスレッド、プログラム、デバイス、および／またはコンピュータとすることができるが、これらに限定はされない。１つまたは複数のモジュールが、プロセスおよび／または実行のスレッド内に常駐することができ、１つのモジュールを、１つの電子デバイスに局所化し、かつ／または複数の電子デバイスの間で分散することができる。さらに、これらのモジュールを、さまざまなデータ構造をその上に格納されたさまざまなコンピュータ可読媒体から実行することができる。モジュールは、１つまたは複数のデータパケット（たとえば、局所システム内の別のコンポーネント、分散システム内の別のコンポーネント、および／または信号によって他のシステムとインターネットを介して別のコンポーネントと相互作用する１つのコンポーネントからのデータ）を有する信号に従うなど、局所プロセスおよび／または遠隔プロセスによって通信することができる。さらに、本明細書で説明されるシステムのコンポーネントまたはモジュールは、それに関して説明されるさまざまな態様、目標、利益その他を達成するのを容易にするために追加のコンポーネント／モジュール／システムによって再配置しかつ／または補足することができ、当業者が了解するであろうとおり、所与の図面に示された正確な構成に限定はされない。
【００４１】
さらに、さまざまな態様を、ユーザ端末すなわちＵＴに関連して本明細書で説明する。ＵＴを、システム、加入者ユニット、加入者ステーション、移動局、モバイル、モバイル通信デバイス、モバイルデバイス、遠隔ステーション、遠隔端末、アクセス端末（ＡＴ）、ユーザエージェント（ＵＡ）、ユーザデバイス、ユーザ機器（ＵＥ）、または類似物と呼ぶこともできる。加入者ステーションは、セル電話機、コードレス電話機、Ｓｅｓｓｉｏｎ  Ｉｎｉｔｉａｔｉｏｎ  Ｐｒｏｔｏｃｏｌ（ＳＩＰ）電話機、無線ローカルループ（wireless local loop）（ＷＬＬ）ステーション、携帯情報端末（ＰＤＡ）、無線接続機能を有するハンドヘルドデバイス、または無線モデムもしくは処理デバイスとの無線通信を容易にする類似する機構に接続された他の処理デバイスとすることができる。
【００４２】
１つまたは複数の例示的実施形態では、説明される機能を、ハードウェア、ソフトウェア、ファームウェア、ミドルウェア、マイクロコード、またはその任意の適切な組合せで実施することができる。ソフトウェアで実施される場合に、機能を、コンピュータ可読媒体に格納することができ、あるいは、コンピュータ可読媒体上の１つまたは複数の命令またはコードとして伝送することができる。コンピュータ可読媒体は、コンピュータ可読ハードウェアを備え、このコンピュータ可読ハードウェアは、コンピュータ記憶媒体およびハードウェア通信媒体を含み、通信媒体は、ある場所から別の場所へのコンピュータプログラムの転送を容易にするすべてのソフトウェア、ミドルウェア、ファームウェア、マイクロコード、および／またはハードウェア媒体を含む。
【００４３】
本明細書で利用される時に、コンピュータ記憶媒体は、コンピュータによってアクセスできるすべての物理媒体とすることができる。限定ではなく例として、そのような記憶媒体は、ＲＡＭ、ＲＯＭ、ＥＥＰＲＯＭ、ＣＤ−ＲＯＭもしくは他の光ディスクストレージ、磁気ディスクストレージもしくは他の磁気ストレージデバイス、スマートカード、フラッシュメモリデバイス（たとえば、カード、スティック、キードライブ…）、または命令もしくはデータ構造の形でプログラムコードを担持しまたは格納するのに使用でき、コンピュータによってアクセスできるすべての他の適切な媒体を備えることができる。ハードウェア通信媒体は、少なくとも部分的に電気ハードウェア、機械的ハードウェア、および／または電磁ハードウェアを利用してあるエンティティから別のエンティティへのコンピュータプログラムの転送を容易にする、すべての適切なデバイスまたはデータ接続を含むことができる。一般に、データ接続は、相応に、コンピュータ可読媒体とも称する。たとえば、プログラム、ソフトウェア、または他のデータが、同軸ケーブル、光ファイバケーブル、より対線、ディジタル加入者回線（ＤＳＬ）、通信バス構造、イーサネット（登録商標）、または赤外線、無線、およびマイクロ波などの無線テクノロジを使用してウェブサイト、サーバ、または他の遠隔ソースから送信される場合に、同軸ケーブル、光ファイバケーブル、より対線、ＤＳＬ、または赤外線、無線、およびマイクロ波などの無線テクノロジは、媒体の定義に含まれ、そのような媒体に関連するすべての適切なハードウェアコンポーネントが、ハードウェア通信媒体の定義に含まれる。本明細書で使用される時に、ディスク（ｄｉｓｋ  ａｎｄ  ｄｉｓｃ）は、コンパクトディスク（ＣＤ）、レーザディスク、光ディスク、ディジタル多用途ディスク（ＤＶＤ）、フロッピディスク、およびｂｌｕ−ｒａｙディスクを含み、ここで、通常、ディスク（ｄｉｓｋ）は、磁気的にデータを再生するが、ディスク（ｄｉｓｃ）は、レーザを用いて光学的にデータを再生する。上記の組合せも、コンピュータ可読媒体の範囲に含まれなければならない。
【００４４】
ハードウェア実施態様について、本明細書で開示される態様に関連して説明される処理ユニットのさまざまな例示的な論理、論理ブロック、モジュール、および回路を、１つまたは複数の特定用途向け集積回路（ＡＳＩＣ）、ディジタル信号プロセッサ（ＤＳＰ）、ディジタル信号処理デバイス（ＤＳＰＤ）、プログラマバル論理デバイス（ＰＬＤ）、フィールドプログラマブルゲートアレイ（ＦＰＧＡ）、ディスクリートゲートもしくはトランジスタ論理、ディスクリートハードウェアコンポーネント、汎用プロセッサ、コントローラ、マイクロコントローラ、マイクロプロセッサ、本明細書で説明される機能を実行するように設計された他の電子ユニット、またはその組合せ内で実施し、または実行することができる。汎用プロセッサは、マイクロプロセッサとすることができるが、代替案では、プロセッサを、任意の従来のプロセッサ、コントローラ、マイクロコントローラ、または状態機械とすることができる。プロセッサは、コンピューティングデバイスの組合せ、たとえば、ＤＳＰおよびマイクロプロセッサの組合せ、複数のマイクロプロセッサ、ＤＳＰコアに関連する１つまたは複数のマイクロプロセッサ、あるいは任意の他の適切な構成として実施することもできる。さらに、少なくとも１つのプロセッサが、本明細書で説明されるステップおよび／またはアクションのうちの１つまたは複数を実行するように動作可能な１つまたは複数のモジュールを備えることができる。
【００４５】
さらに、本明細書で説明されるさまざまな態様または特徴を、標準的なプログラミング技法および／または工学技法を使用して、方法、装置、または製造品として実施することができる。さらに、本明細書で開示される態様に関連して説明される方法またはアルゴリズムのステップおよび／またはアクションを、ハードウェアで直接に、プロセッサによって実行されるソフトウェアモジュールで、あるいはこの２つの組合せで実施することができる。さらに、いくつかの態様では、方法またはアルゴリズムのステップおよび／またはアクションが、デバイス可読媒体、機械可読媒体、および／またはコンピュータ可読媒体上のコードおよび／または命令の少なくとも１つまたは任意の組合せまたはセットとして存在することができ、これを、コンピュータプログラム製品に組み込むことができる。用語「製造品」は、本明細書で使用される時に、すべてのコンピュータ可読デバイスまたはコンピュータ可読媒体からアクセス可能なコンピュータプログラムを含むことが意図されている。
【００４６】
さらに、単語「例示的な」は、本明細書で、例、実例、または例示として働くことを意味するのに使用される。本明細書で「例示的」として説明されるすべての態様または設計は、必ずしも、他の態様または設計より好ましいまたは有利とは解釈されない。そうではなく、単語例示的の使用は、具体的な形で概念を提示することを意図されたものである。本願および添付の特許請求の範囲で使用される時に、用語「または」は、排他的な「または」ではなく包含的な「または」であることを意味することが意図されている。すなわち、そうではないと指定されないか、文脈から明らかでない限り、「ＸはＡまたはＢを使用する」は、自然に包含的な順列のすべてを意味することが意図されている。すなわち、ＸがＡを使用するか、ＸがＢを使用するか、ＸがＡとＢとの両方を使用する場合に、「ＸはＡまたはＢを使用する」が、前述の例のすべての下で満足される。さらに、本願および添付の特許請求の範囲で使用される時の冠詞「ａ」および「ａｎ」は、一般に、そうではないと指定されるか文脈から単数形を指すことが明白ではない場合に、「１つまたは複数」を意味すると解釈されなければならない。
【００４７】
本明細書で使用される時に、用語「推論する」または「推論」は、一般に、イベントおよび／またはデータを介して取り込まれる観察のセットからシステム、環境、および／またはユーザの状態に関して推理し、または推論するプロセスを指す。推論は、たとえば、特定の文脈またはアクションを識別するのに使用することができ、あるいは、状態にまたがる確率分布を生成することができる。推論は、確率的とすることができる、すなわち、データおよびイベントの考慮に基づく当該の状態にまたがる確率分布の計算とすることができる。推論は、イベントおよび／またはデータのセットからより高いレベルのイベントを組み立てるのに使用される技法をも指すことができる。そのような推論は、イベントが近い時間的近接で相関するか否かにかかわりなく、また、イベントおよびデータが１つまたは複数のイベントまたはデータの源に由来するかどうかにかかわりなく、観察されたイベントおよび／または格納されたイベントデータのセットからの新しいイベントまたはアクションの構成をもたらす。
【００４８】
図面を参照すると、図１は、さまざまな開示される実施形態および態様を実施することができる、複数のユーザをサポートするように構成された例の無線通信システム１００を示す。図１に示されているように、システム１００は、マクロセル１０２ａ、１０２ｂ、１０２ｃ、１０２ｄ、１０２ｅ、１０２ｆ、１０２ｇ（代替として、マクロセル１０２ａ〜１０２ｇ）などの複数のセルの通信を提供し、各セルは、対応するアクセスポイント（ＡＰ）１０４ａ、１０４ｂ、１０４ｃ、１０４ｄ、１０４ｅ、１０４ｆ、１０４ｇ（代替として、ＡＰ  １０４ａ〜１０４ｇ）によってサービスされる。各セル１０２ａ〜１０２ｇを、さらに、１つまたは複数のセクタに分割することができる。さまざまなＵＴ  １０６ａ、１０６ｂ、１０６ｃ、１０６ｄ、１０６ｅ、１０６ｆ、１０６ｇ、１０６ｈ、１０６ｉ、１０６ｊ、１０６ｋ（代替的に、ＵＴ  １０６ａ〜１０６ｋ）が、システム１００全体に分散される。各ＡＴ  １０６ａ〜１０６ｋは、たとえばＡＴ（１０６ａ〜１０６ｋ）がアクティブであるかどうかまたはこれがソフトハンドオフ中であるかどうかに依存して、所与の瞬間に順方向リンク（ＦＬ）および／または逆方向リンク（ＲＬ）で１つまたは複数のＡＰ  １０４ａ〜１０４ｇと通信することができる。無線通信システム１００は、広い地理的区域にわたってサービスを提供することができ、たとえば、マクロセル１０２ａ〜１０２ｇは、近隣の２〜３ブロックを包含することができる。
【００４９】
図２に、ネットワーク環境内のＢＳ（たとえば、マクロＢＳ、フェムトＢＳ）の配備を可能にする例示的な通信システム２００を示す。システム２００は、それぞれが対応する小規模ネットワーク環境にインストールされる、フェムトＢＳ  ２１０を含む複数のＢＳを含む。小規模ネットワーク環境の例は、ユーザの住居、事業所、屋内／屋外施設２３０などを含むことができる。フェムトＢＳ  ２１０を、関連するＵＴ  ２２０（たとえば、フェムトＢＳ  ２１０に関連するＣＳＧに含まれる）またはオプションでエイリアンもしくはビジタのＵＴ  ２２０（たとえば、フェムトＢＳ  ２１０のＣＳＧについて構成されていない）にサービスするように構成することができる。各フェムトＢＳ  ２１０は、さらに、インターネット２４０および携帯電話会社のコアネットワーク２５０にＤＳＬルータ（図示せず）を介してまたはその代わりにケーブルモデム、電力線ブロードバンド（broadband over power line）接続、衛星インターネット接続、もしくは類似するブロードバンドインターネット接続（図示せず）を介して結合される。
【００５０】
フェムトＢＳ  ２１０を介する無線サービスを実施するために、フェムトＢＳ  ２１０の所有者は、携帯電話会社のコアネットワーク２５０を介して提供される、３Ｇモバイルサービスなどのモバイルサービスに加入する。また、ＵＴ  ２２０を、本明細書で説明するさまざまな技法を利用して、マクロセルラ環境内および／または住居小規模ネットワーク環境内で動作できるものとすることができる。したがって、少なくともいくつかの開示される態様では、フェムトＢＳ  ２１０は、任意の適切な既存のＵＴ  ２２０と後方互換とすることができる。さらに、マクロセルモバイルネットワーク２５０に加えて、ＵＴ  ２２０に、事前に決定された個数のフェムトＢＳ  ２１０、特に、対応するユーザの住居（１つまたは複数）、事業所（１つまたは複数）、または屋内／屋外施設２３０内に存在し、マクロネットワーク２５０とのソフトハンドオーバ状態になることができないフェムトＢＳ  ２１０によってサービスすることができる。本明細書で説明される諸態様は３ＧＰＰテクノロジを使用するが、諸態様を、３ＧＰＰテクノロジ（Ｒｅｌｅａｓｅ  ９９［Ｒｅｌ９９］、Ｒｅｌ５、Ｒｅｌ６、Ｒｅｌ７）ならびに３ＧＰＰ２テクノロジ（１ｘＲＴＴ、１ｘＥＶ−ＤＯ  Ｒｅｌ０、ＲｅｖＡ、ＲｅｖＢ）および他の既知の関連するテクノロジにも適用できることが理解されなければならないことを了解されたい。
【００５１】
図３に、モバイル通信環境内の集中アクセスポイント管理を提供する例のシステム３００のブロック図を示す。適切なモバイル環境は、ＧＡマクロアクセスポイント（たとえば、マクロセル、マイクロセル、ピコセル、またはいくつかの情況でＧＡにセットされたフェムトセルさえ）ならびに制限されたＣＳＧを有するＲＡフェムトアクセスポイントを含むことができる。システム３００は集中化されているので、アクセスポイント管理を、複数のＢＳによってサービスされるＵＴまたはＢＳのネットワークによってサービスされるすべてのＵＴについて提供することができる。例示的な例として、システム３００が、基地局サブシステム（ＢＳＳ）の複数のＢＳを管理する基地局コントローラ（ＢＳＣ）に配置される場合に、アクセスポイント管理を、ＢＳＳのＢＳごとにシステム３００によって提供することができる。同様に、システム３００が、モバイルスイッチングセンタ（mobile switching center）（ＭＳＣ）またはＧＰＲＳ（ｇｅｎｅｒａｌ  ｐａｃｋｅｔ  ｒａｄｉｏ  ｓｙｓｔｅｍ）を使用するシステムのサービングＧＰＲＳサポートノード（serving GPRS support node）（ＳＧＳＮ）に配置される場合には、アクセス管理を、ＭＳＣおよび／またはＳＧＳＮによってサービスされるすべてのＢＳについて提供することができる。その代わりにまたはそれに加えて、システム３００を、オペレータのコアネットワーク内に配置することができ、アクセスポイント管理を、そのコアネットワークに結合されたすべてのＢＳについてそのコアネットワークで集中的に管理することが可能になる。いくつかの場合に、システム３００を、フェムトセルのそれぞれのアクセス管理を容易にするために、フェムトセルの集中ネットワークに、インターネットサーバに、またはオペレータのコアネットワーク内に（たとえば、そのようなネットワークのインターネットゲートウェイに）配備することができる。
【００５２】
システム３００は、モバイルネットワークに結合されたＵＴのアクセスポイント選択を容易にするプロビジョニングモジュール３０２を備える。プロビジョニングモジュール３０２は、モバイルネットワークへの複数の使用可能なアクセスポイントの中で選択するのにＵＴによって利用できるシステム決定リスト（ＳＤＬ）（たとえば、下の図８を参照されたい）を生成することができる。さらに、プロビジョニングモジュール３０２を、少なくともＵＴのフェムト機能に基づいて、ＵＴにカスタマイズすることができる。したがって、たとえば、第１タイプのＳＤＬを、非フェムト対応ＵＴ用にカスタマイズすることができ、第２タイプのＳＤＬを、フェムト対応ＵＴ用にカスタマイズすることができる。さらに、第２タイプを、たとえば特定のフェムトＵＴへのネットワークアクセスを許すフェムトセルを識別するために、フェムト対応ＵＴごとに個別化することができる。
【００５３】
ＳＤＬをカスタマイズするために、プロビジョニングモジュール３０２は、ＵＥ固有データおよびフェムトセル固有データをＵＥ−フェムトデータパーサ３０６から取得するＳＤＬモジュール３０８を含むことができる。通信プロセッサ３０４は、情報を取得するためにさまざまな外部ソースと結合することができる。たとえば、プロビジョニングモジュール３０２は、フェムトセルデータまたは特定のフェムトセルに結合されたＵＴに関するデータ（たとえば、ＭＳＩ、ＩＭＳＩ、電子通し番号（electronic serial number）［ＥＳＮ］、またはＵＴの類似する一意ＩＤ）を取得するためにそのフェムトセルと結合する（たとえば、インターネットを介してそのフェムトセルと通信するインターネットゲートウェイを介して）のに通信プロセッサ３０４を使用することができる。その代わりにまたはそれに加えて、通信プロセッサ３０４は、そのような情報を取得するためにフェムトＵＴと結合するのにマクロネットワーク（図示せず）を使用することができる。他の態様では、通信プロセッサは、フェムトデータベース（たとえば、下の図４を参照されたい）またはオペレータのホームロケーションレジスタ（ＨＬＲ）と結合することができ、そのようなレジスタは、フェムト−ＵＴデータを格納する。
【００５４】
通信プロセッサ３０４によって取得されたデータは、関係する情報を抽出するためにＵＥ−フェムトパーサ３０６に供給される。そのような情報は、サービングＢＳのＳＩＤ（たとえば、フェムトセルのために予約されたフェムトＳＩＤ、マクロＳＩＤ）、ならびにそのＳＩＤに関連するセルのＮＩＤおよび／またはセルＩＤのサブセットを含むことができる。さらに、抽出される情報は、モバイルネットワークで登録を試みているＵＴのＩＤ情報を備えることができる。ＳＤＬモジュール３０８は、マクロＢＳに結合されたＵＴ、フェムト対応ではないＵＴ（少なくとも部分的にＵＴデータから決定される）、またはホームＧＥＯ内にないＵＴのためにデフォルトＳＤＬ（たとえば、ＰＲＬ）を生成することができる。デフォルトＳＤＬは、ＵＴが接続できるマクロＳＩＤ／ＮＩＤ（または、ＥＶ−ＤＯシステムのｓｕｂｎｅｔＩＤなどの他のノードＩＤ）のリストを含むことができる。いくつかの態様では、ＳＤＬは、下でより詳細に述べるように、好ましいＩＤとして１つまたは複数のＳＩＤ／ＮＩＤを確立することができる。
【００５５】
カスタムＳＤＬについて、ＳＤＬモジュール３０８は、特定のＵＴまたはそのＵＴにサービスするセルに関する情報をＳＤＬにプロビジョニングすることができる。したがって、たとえば、特定のＵＴがフェムト対応ＵＴである場合には、フェムトＢＳのために予約されているＳＩＤを、カスタムＳＤＬに含めることができる。そのようなカスタムＳＤＬを使用することによって、ＵＴは、予約されたＳＩＤを含む信号を、フェムトセルから発するものとして識別することができる。さらに、カスタムＳＤＬは、フェムトＳＩＤに関連するＮＩＤおよび／またはセルＩＤのサブセットを含むことができる。したがって、ＵＴは、ＮＩＤ／セルＩＤのサブセットを含まない信号を無視することができ、あるいは、異なるＳＩＤ（たとえば、マクロＳＩＤ）を含む信号に関連してＮＩＤ／セルＩＤのサブセットを含む信号を単純に分析することができる。いくつかの態様では、ＮＩＤ／セルＩＤのサブセットは、登録するフェムトＵＴに関連するホームフェムトセルの１つまたは複数のＮＩＤ／セルＩＤを含むことができる。
【００５６】
本開示のいくつかの態様によれば、ＳＤＬモジュール３０８は、１つまたは複数のシステムＩＤおよび／またはネットワークＩＤを好ましいものとして確立し、１つまたは複数の他のシステムＩＤおよび／またはネットワークＩＤを好ましくないものとして確立し、システムＩＤおよび／またはネットワークＩＤに関する特殊なプリファレンスを示さず、あるいはこの組合せを行うことができる。したがって、ＵＴは、信号強度および／または信号品質ならびにＳＩＤ／ＮＩＤプリファレンス状況に基づいて、１つまたは複数の信号の中で選択することができる。あるＵＴが、好ましいＳＩＤ／ＮＩＤ（１つまたは複数）を有するカスタムＳＤＬを供給される場合に、そのＵＴは、現在は好ましくないセルまたはプリファレンス状況を有しないセルに結合されている時であっても、好ましいＳＩＤ／ＮＩＤの探索を続けることができる。さらに、そのＵＴが好ましいＳＩＤ／ＮＩＤを獲得する場合に、それを超えてＵＴが他のＢＳを探索する、大きいしきい値を確立することができる。したがって、特定の例として、ＵＴは、好ましいセルに結合されている時に、好ましいセルの信号強度が比較的小さいしきい値未満に低下するか、好ましいセルと隣接するセルとの間の信号強度相違が比較的大きいしきい値を超えて上昇する（隣接セルに有利である）場合を除いて、隣接するセルを無視することができる。
【００５７】
さらに他の態様によれば、ＳＤＬを、１つまたは複数のＧＥＯに従って構成することができる。したがって、登録要求を取得するセルが存在する、あるＧＥＯ内の使用可能なＳＩＤ／ＮＩＤを、ＳＤＬに含めることができる。いくつかの態様では、ＳＤＬは、ＵＴが現在のＧＥＯの外部を移動する場合に、さらに、複数の隣接ＧＥＯおよび関連する複数のＳＩＤ／ＮＩＤを含むことができる。あるフェムトＵＴのためにカスタマイズされたＳＤＬについて、現在のＧＥＯは、複数のマクロＢＳ  ＳＩＤ／ＮＩＤを含むことができ、現在のＧＥＯがそのフェムトＵＴに関連するホームＧＥＯである場合には、１つまたは複数のフェムトＳＩＤ／ＮＩＤを含むことができる。さらに、フェムトＳＩＤ／ＮＩＤに好ましい状況を与え、上で述べたように他のタイプのネットワークアクセスポイントよりフェムトセルを優先するようにＵＴに指示することができる。現在のＧＥＯがホームＧＥＯではない場合には、ＳＤＬを、フェムトＳＩＤ／ＮＩＤを含まないように構成することができ、フェムトＵＴが、エイリアンフェムトセルへの浪費されるシグナリングを無視することが可能になる。したがって、カスタムＳＤＬを、ホームフェムトセルが見つかると期待できる時（たとえば、１つまたは複数のホームＧＥＯ内）に、好ましいものとしてフェムトセルＳＩＤ／ＮＩＤをリスンし、ホームフェムトセルが見つかると期待はできない時（たとえば、ホームＧＥＯの外部）に、フェムトセルＳＩＤ／ＮＩＤを含めないことによって、フェムトＵＴに関するオーバーヘッドシグナリングを保存するのに利用することができる。
【００５８】
図４に、さまざまなアクセス機能のＵＴ  ４０４Ａ、４０４Ｂのアクセスポイント管理を提供する例のシステム４００のブロック図を示す。システム４００は、各ＵＴの機能に基づいてＵＴのためのＳＤＬを生成するプロビジョニングモジュール４０２を備えることができる。プロビジョニングモジュール４０２は、登録するＵＴ  ４０４Ａ、４０４ＢのＩＤ情報（たとえば、ＭＳＩ、ＩＭＳＩ、ＥＳＮ、など）を含む登録要求を、マクロアクセスポイント４０６Ａまたはフェムトアクセスポイント４０６Ｂなどのアクセスポイントから、通信プロセッサ４０８で受信することができる。ＩＤ情報は、さまざまなネットワークデータストアで加入者情報（４１６）を取得するのに利用することができる。たとえば、ＵＥ−セルデータパーサ４１２は、登録するＵＴがフェムトＵＴ  ４０４Ｂである場合に、ネットワークフェムトデータベース４１４にアクセスすることができる。フェムトデータベース４１４は、どの加入者フェムトＵＴ（４０４Ａ）が特定のフェムトセル（４０６Ｂ）にアクセスするのを許可されるのか、ならびにどのフェムトセル（４０６Ｂ）が特定の加入者のフェムトＵＴ（４０４Ａ）のホームセルであるのかを示す加入者プロファイル４１６を格納することができる。さらに、データベース４１４は、各フェムトセル（４０６Ｂ）の関連するＧＥＯおよび各フェムトＵＴ（４０４Ａ）のホームＧＥＯ（１つまたは複数）を示すことができる。したがって、登録するフェムトＵＴ  ４０４ＡのＩＤを利用することによって、プロビジョニングモジュール４０２は、そのようなＩＤおよびそのようなセルのＧＥＯに関連するフェムトセル（４０６Ｂ）を識別することができる。フェムトＵＴ  ４０４ＡがホームＧＥＯ内にある場合には、ホームフェムトセルを識別し、そのようなセルを好ましいセルとして確立するカスタムＳＤＬを、ＳＤＬモジュール４２２によって生成することができる。そうでない場合には、ＳＤＬは、マクロセルＳＩＤ／ＮＩＤを含むことができ、マクロセルを探索し、かつ／またはマクロセルに結合されたままになるようにフェムトＵＴに指示する。
【００５９】
その代わりにまたは前述に加えて、プロビジョニングモジュール４０２は、インターネットおよび／またはモバイルコアネットワーク４２０に結合できるデータインターフェース４１８を備えることができる。したがって、データインターフェース４１８は、フェムトセル４０６Ｂによって利用されるインターネットゲートウェイ（図示せず）を利用して、そのようなセル４０６Ｂと通信することができる。データインファーフェースは、フェムトセル４０６Ｂに照会し、そのようなセルおよび／またはフェムトセル４０６Ｂに結合されたＵＴ（４０４Ｂ）のＩＤ情報を取得するのに利用することができる。さらに、データインターフェースは、ＵＴ加入者情報を取得するためにマクロコアネットワーク４２０と通信することができる。いくつかの態様では、そのような情報は、加入者ＩＤ情報を含むことができる。加入者ＩＤ情報は、フェムトセル４０６Ｂの特定のＧＥＯを確立するのに利用することができる。一例として、物理的住所（たとえば、郵送先住所）、郵便番号、および／または類似する情報を、フェムトＧＥＯを確立するのに利用することができる。したがって、フェムトＧＥＯは、フェムトセル４０６Ｂを囲む比較的小さい区域とすることができ、フェムトセルのＧＥＯ内に含まれる他のアクセスポイント（４０６Ａ）の数が制限される。登録するＵＴがフェムトＵＴ（４０４Ａ）であり、そのフェムトＵＴ（４０４Ａ）のホームＧＥＯがフェムトセル４０６ＢのＧＥＯと同一である場合には、フェムトＧＥＯならびにフェムトセル４０６ＢのＳＩＤ／ＮＩＤ／セルＩＤを、そのようなＵＴに供給されるカスタムＳＤＬに、ＳＤＬモジュール４２２によって含めることができる。そうでない場合には、マクロＢＳ  ＳＩＤ／ＮＩＤ／セルＩＤを含むＳＤＬを生成し、ＵＴに供給し、そのＵＴに、フェムトセル信号を無視させ、その代わりにマクロ信号を探索させることができる。
【００６０】
図５に、ＵＴ  ５０４の分散アクセスポイント管理を提供する例のシステム５００のブロック図を示す。図示されているように、システム５００は、１つまたは複数のフェムトセル５０２およびフェムトＵＴ  ５０４を含む１つまたは複数のＵＴを備えることができる。フェムトセル５０２は、フェムトＵＴ  ５０４とそのようなＵＴ  ５０４に関連するホームフェムトセル５０２との間の無線データ交換を提供するように構成されたインターフェースアプリケーション５０６を備えることができる。インターフェースアプリケーション５０６は、上で説明したものに類似する形ではあるが、集中ネットワーク位置ではなくホームフェムトセル５０２から、特にフェムトＵＴ  ５０４のためにカスタマイズされたＳＤＬを生成するのに利用することができる。さらに、インターフェースアプリケーション５０６は、通常はフェムトセル５０２によって無線通信に利用される周波数チャネルを使用することができ、あるいは、カスタムＳＤＬ（たとえば、上の図６を参照されたい）を提供するために特殊なプロビジョニングチャネルまたはブートストラップチャネルを利用することができる。
【００６１】
インターフェースアプリケーション５０６を、ホームフェムトセル５０２によって、インターネットへの接続を介してマクロコアネットワーク５１８との自己構成手順を実行するのに利用することができる。したがって、たとえば、フェムトセル５０２は、マクロセルならびに他のフェムトセルを含む、フェムトセル５０２の隣接セル（図示せず）に関する情報を取得することができる。さらに、フェムトセル５０２は、そのような他のフェムトセルが、フェムトＵＴ  ５０４のホームフェムトセルであるのか、フェムトＵＴ  ５０４に制限されたアクセスを提供するかアクセスを提供しないエイリアンフェムトセルであるのかを示すデータを取得することができる。
【００６２】
インターフェースアプリケーション５０６は、フェムトＵＴ  ５０４のためにカスタムＳＤＬを生成できるＳＤＬプロビジョニングモジュール５１２を備えることができる。フェムトＵＴ  ５０４が、フェムトセル５０２に関連するＣＳＧに含まれる場合に、ＳＤＬを、フェムトセル５０２ならびにすべての隣接ホームフェムトセルを好ましいセルとして指定し、近くのマクロセルをより低い優先順位として指定し、近くのエイリアンフェムトセルを好ましくないものとして指定するためにプロビジョニングすることができる。フェムトＵＴ  ５０４がそのＣＳＧに含まれない場合に、フェムトセル５０２は、フェムトＵＴ  ５０４にゲストアクセスを提供しなければならないかどうかを決定するために、ゲスト加入者グループ（guest subscriber group）（ＧＳＧ）をチェックすることができる。ゲストアクセスは、フルアクセス（ホームフェムトセルと同一）あるいは、ゲストＵＴがフェムトセル５０２を利用できる帯域幅、モバイルリソース、および／または時間の長さを制限する制限されたアクセスを備えることができる。ゲストＳＤＬについて、フェムトセル５０２を、好ましいセルとして確立し、隣接セル（マクロまたはフェムト）をより低い優先順位のセルとして確立することができる。オプションで、ゲストＳＤＬは、フェムトセル５０２および隣接セルに関する特殊なプリファレンスを提供せず、ゲストＵＴが信号強度に基づいて隣接セルを獲得し、アクセスすることを可能にすることができる。
【００６３】
本開示のいくつかの態様では、フェムトＵＴ  ５０４は、フェムトセル５０２にＳＤＬを供給するのにインターフェースアプリケーション５０６を使用することができる。したがって、たとえば、モバイルコアネットワーク５１８から無線プロビジョニング機能（over the air provisioning function）（ＯＴＡＦ）５２０およびマクロＢＳ  ５２２を介して取得されるデフォルトＳＤＬを、インターフェースアプリケーション５０６に転送することができる。ＳＤＬプロビジョニングモジュール５１２は、好ましいセルとしてのフェムトセル５０２のＳＩＤ／ＮＩＤ／セルＩＤを含み、好ましくないセルとして隣接セルを指定する、上で述べたカスタムＳＤＬを生成するために、デフォルトＳＤＬを変更することができる。
【００６４】
フェムトＵＴ  ５０４およびフェムトセル５０２は、カスタムＳＤＬが生成され、フェムトＵＴ  ５０４に供給された後に、通常の無線通信を利用することができる（たとえば、たとえばブートストラップチャネルまたはプロビジョニングチャネルではなく、フェムトセル５０２の通常の動作チャネルを使用して）。周期的に、フェムトセル５０２およびフェムトＵＴ  ５０４は、ＳＤＬプロビジョニングモジュール５１２でのＳＤＬプロビジョニングを更新するために、インターフェースアプリケーション５０６を従事させることができる（オプションで、特殊なブートストラップ周波数を利用して）。たとえば、隣接セル／セルＩＤの変更を、インターフェースアプリケーション５０６の周期的使用を介して、フェムトＵＴ  ５０４によって利用されるＳＤＬに追加することができる。したがって、システム５００は、変化するネットワーク条件を反映するために、カスタマイズされたＳＤＬを生成し、更新するのにインターフェースアプリケーション５０６およびＳＤＬプロビジョニングモジュール５１２を使用することができる。
【００６５】
本開示の特定の態様によれば、カスタマイズされたＳＤＬは、フェムトセル５０２の近くの有力な信号状態を反映することができる。そのような態様では、フェムトＵＴ  ５０４は、ＳＤＬプロビジョニングのためにインターフェースアプリケーション５０６を介してフェムトセル５０２に結合することができる。そのようなプロビジョニング中に、フェムトＵＴ  ５０４は、隣接するマクロＢＳおよびフェムトＢＳ（５２２）の無線信号を監視し、分析するのに信号分析モジュール５０８を使用することができる。信号強度、信号品質、および類似する統計を、信号分析モジュール５０８を利用して取得することができる。さらに、信号分析モジュール５０８は、信号を送信するＢＳ（５２２）を識別するために、各信号と共に送信されるＳＩＤ／ＮＩＤ／セルＩＤ情報を識別することができる。この情報を、報告モジュール５１０を介してフェムトセル５０２に供給することができる。その場合に、ＳＤＬプロビジョニングモジュール５１２は、潜在的に強い干渉をもたらすか、フェムトＵＴ  ５０４にその信号の獲得またはそれへの切替を試みさせるのに十分に強い信号を有する隣接セル（５２２）を識別することができる。フェムトＵＴ  ５０４が、フェムトセル５０２のＣＳＧまたはＧＳＧに含まれる場合に、ＳＤＬプロビジョニングモジュール５１２は、フェムトＵＴ  ５０４が隣接エイリアンフェムトセルを獲得しようとするのを防ぐために、そのようなセルをブラックリストに入れることができる。上で述べたＳＤＬ更新プロビジョニング中に、信号分析モジュール５０８によって決定される新しいエイリアンフェムトセルを、必要に応じてブラックリストに入れることもできる。したがって、カスタムＳＤＬを、フェムトＵＴ  ５０４に干渉するかフェムトＵＴ  ５０４にそのセルにハンドオフさせる可能性が高い隣接セルだけをブラックリストに入れるようにプロビジョニングし、フェムトセル５０２と共通のＧＥＯを共有するすべてのフェムトセルをブラックリストに入れるのではなく、比較的小さいブラックリストを提供することができる。
【００６６】
図６に、モバイルネットワークに結合する端末デバイスの初期スタートアッププロビジョニングを容易にする例のシステム６００のブロック図を示す。システム６００は、ＢＳ−ＵＴインターフェースを介してフェムトＵＴ  ６０４に結合されたプロビジョニングモジュール６０２を備える。そのようなインターフェースは、プロビジョニングモジュールに結合されたフェムトセルデバイス（図示せず）の無線トランシーバおよびそのようなトランシーバによって使用される無線チャネルを備えることができる。スタートアッププロビジョニングは、本明細書で説明するようにフェムトＵＴ  ６０４のためのカスタムＳＤＬを生成するのに利用でき、ＳＤＬ内で識別されるネットワークＢＳの選択およびこれへのハンドオフのためにカスタムＳＤＬを提供することができる。
【００６７】
プロビジョニングモジュール６０２は、プロビジョニングモジュール６０２に結合されたフェムトセルおよびフェムトＵＴ  ６０４のブートストラッププロビジョニングを確立するブートストラップ構成モジュール６０６を備える。ブートストラップ構成モジュール６０６は、携帯電話会社のネットワークと通信できる（たとえば、フェムトセルに結合されたインターネット接続を介して）データプロセッサ６１０からフェムト固有情報を取得することができる。フェムト情報は、フェムトセルによる使用のために予約されたＳＩＤを備えることができる。さらに、フェムト情報は、それぞれ初期構成ならびにセルシグナリング／獲得およびトラヒックリソースのためにフェムトＵＴ  ６０４によって利用されるブートストラップ情報およびセルラ情報を備えることができる。ブートストラップ情報は、フェムトセルを識別するのにスタートアップ時に利用されるＳＩＤならびにブートストラップＮＩＤ、ならびにスタートアッププロビジョニングのためにフェムトセルと通信するのに利用されるブートストラップ周波数チャネルを備えることができる。ブートストラップ情報＜ＳＩＤ，ＮＩＤｂｏｏｔｓｔｒａｐ，Ｃｈａｎｎｅｌｂｏｏｔｓｔｒａｐ＞を、通信がプロビジョニングモジュール６０２に結合されたフェムトセルとフェムトＵＴ  ６０４との間で既に確立されている場合にはそのようなセルを介して、またはマクロネットワークプロビジョニングを介してのいずれかでフェムトＵＴ  ６０４に供給されるカスタムＳＤＬに含めることができる。
【００６８】
フェムトＵＴ  ６０４が、上でリストしたブートストラップ情報を備えるカスタムＳＤＬを取得した後に、そのＵＴ  ６０４は、ブートストラップＮＩＤおよびブートストラップチャネルを利用して、フェムトセルと共に初期化ルーチンまたはペアリングルーチンを実行することができる。いくつかの態様では、ブートストラップ手順は、非常に低い電力（たとえば、１Ｗの分数）で放射するフェムトセルを用いて実行され、フェムトＵＴ  ６０４は、そのフェムトセルの近くに配置される（たとえば、１ｍ以内）。ブートストラップチャネルを、特定の態様では、フェムトセルによって利用されるＣＳＧを迂回するのに利用することができる。というのは、そのような短い範囲では、フェムトＵＴ  ６０４が、フェムトセルの所有者によって操作されると仮定できるからである。したがって、そのような態様では、フェムトＵＴ  ６０４を、システム６００によって提供されるブートストラップ動作を利用することによって、当初にフェムトセルのＣＳＧに含めることができる。
【００６９】
フェムトセルとの初期ペアリングの後に、プロビジョニングモジュール６０２は、そのフェムトセルとのモバイル通信用のカスタムＳＤＬを生成することができる。ブートストラップＳＤＬを、初期獲得中にフェムトセルにフェムトＵＴ  ６０４によって供給することができ、このフェムトセルは、そのようなＳＤＬをデータプロセッサ６１０に転送することができる。フェムトＳＤＬ構成モジュール６０８は、フェムト固有ＳＩＤ／ＮＩＤおよびフェムトセルとのセルラ通信用のチャネルを含めるためにブートストラップＳＤＬを変更することができる。そのような情報は、フェムト関連ＳＩＤ／ＮＩＤ／動作のチャネルを示す＜ＳＩＤＦｅｍｔｏ，ＮＩＤＦｅｍｔｏ，ＣｈａｎｎｅｌＦｅｍｔｏ＞として表すことができる。フェムトＵＴ  ６０４とフェムトセルとの間の後続相互作用は、フェムト関連情報を利用して、通常のフェムト送信電力／距離で行うことができ、ここで、ＵＴ  ６０４は、フェムトセルのＣＳＧを利用して調査される。いくつかの態様では、隣接セルの分析（たとえば、上で図５で説明した）を、上で説明した初期プロビジョニング中に行うことができる。したがって、フェムト情報は、ＵＴ  ６０４が構成されたホームフェムトセルよりも隣接エイリアンフェムトセルを獲得するかこれにハンドオフすることをもたらし得る、しきい値以上の信号強度／品質を有するブラックリストに入れられたエイリアンフェムトセルをも含むことができる。上で説明したように、システム６００は、初期フェムトデバイスペアリングルーチンを使用する分散アクセスポイント管理の効率的な機構を提供することができる。
【００７０】
図７に、本開示の態様による例の統合されたフェムト−マクロモバイル環境７００のブロック図を示す。モバイル環境７００は、ＵＴ  ７０４にＧＡ無線サービスを提供する少なくとも１つのマクロＢＳ  ７０２を備える。したがって、ＵＴ  ７０４は、有利なマクロ無線条件である、または好ましいＢＳ（７０６Ａ、７０６Ｂ）が十分な範囲内にない場合に、マクロＢＳ  ７０２と通信的に結合することができる。
【００７１】
さらに、環境７００は、マクロＢＳ  ７０２のカバレージ内の複数のＧＥＯ  ７０８Ａ、７０８Ｂ、７０８Ｃ、７０８Ｄ（すなわち、７０８Ａ〜７０８Ｄ）を備える。そのようなＧＥＯは、ＵＴ  ７０４がその中で少なくとも１つのホームフェムトセル７０６Ａ、７０６Ｂに関連する少なくとも２つのホームＧＥＯ  ７０８Ａ、７０８Ｄを備える。たとえば、ＧＥＯ  ７０８Ａは、加入者がその加入者の住居で確立されるホームフェムトセル７０６Ａを有する住居区域を備えることができる。さらに、ＧＥＯ  ７０８Ｄは、加入者がオフィスビルディングまたは他の事業所で確立される第２ホームフェムトセル７０６Ｂを有する商業区域または工業区域を備えることができる。他のＧＥＯ  ７０８Ｂ、７０８Ｃは、加入者がホームフェムトセル（７０６Ａ、７０６Ｂ）を有しない、エイリアンＧＥＯである。
【００７２】
環境７００によって示されるＧＥＯ  ７０８Ａ〜７０８Ｄを、さまざまな判断基準を利用して定義できることを了解されたい。一例では、ＧＥＯ  ７０８Ａ〜７０８Ｄを、マクロネットワーク（７０２）のロケーションエリアＩＤ（location area ID）（ＬＡＩ）またはルーティングエリアＩＤ（routing area ID）（ＲＡＩ）などのネットワーク領域情報を利用して定義することができる。他の例では、ＧＥＯ  ７０８Ａ〜７０８Ｄを、自治体境界、郡境界、州境界、または類似物などの政治的／法的地理的境界を利用して定義することができる。さらに他の例では、ＧＥＯ  ７０８Ａ〜７０８Ｄを、ホームフェムトセル７０６Ａ、７０６Ｂに関連する加入者データに基づいて定義することができる。したがって、たとえば、各ホームフェムトセル７０６Ａ、７０６Ｄに関連する郵送先住所、郵便番号、および／または他の位置／区域識別子（たとえば、全地球測位システム）を、少なくとも各ＧＥＯ  ７０８Ａ、７０８Ｄを定義するのに使用することができる。いくつかの態様では、前述の例の組合せを、ＧＥＯ  ７０８Ａ、７０８Ｄを定義するのに利用することができる。
【００７３】
ＵＴ  ７０４は、ＧＥＯからＧＥＯに移動する時に、ＵＴ  ７０４が現在配置されているＧＥＯのアイデンティティをサービングＢＳに報告することができる。サービングＢＳは、ＵＴ  ７０４の現在の位置決定を更新するために、そのＧＥＯをモバイルネットワークに転送することができる。さらに、現在のＧＥＯを、本明細書で説明するようにＵＴ  ７０４のカスタムＳＤＬを生成するのに利用することができる（たとえば、適切なＢＳが、ＧＥＯの現在のタイプすなわちホームまたはエイリアンに依存して、他のＢＳより高いプリファレンスを与えられる場合）。集中アクセスポイント管理アーキテクチャでは、ネットワークは、マクロＢＳ  ７０２またはＵＴ  ７０４に結合されたフェムトセル（７０６Ａ、７０６Ｄ）を利用して、カスタムＳＤＬを生成し、ＵＴ  ７０４に供給することができる。ネットワークは、当技術分野で既知のように、たとえばＵＴ  ７０４をページングし、そのようなデータを送達するのに、現在の位置（position/location）の情報を利用することができる。分散アクセスポイント管理アーキテクチャでは、サービングＢＳ（７０２、７０６Ａ、７０６Ｂ）は、オプションでスタートアッププロビジョニング時に、カスタムＳＤＬを生成し、ＵＴ  ７０４に供給することができる。その場合に、サービングＢＳ（７０２、７０６Ａ、７０６Ｄ）は、必要な場合に、ＵＴ  ７０４が新しいＧＥＯに移動し、その新しいＧＥＯ内のＢＳ上で初めて登録を試みる時に、カスタムＳＤＬを更新することができる。したがって、アクセスポイント管理にＳＤＬを使用することは、ＵＴモビリティおよび動的ネットワーク（たとえば、新しいマクロＢＳ配備および／またはフェムトＢＳ配備を含む）に対処する適応可能な機構とすることができる。
【００７４】
図８に、本開示の態様による例のカスタムＳＤＬ  ８０６のブロック図を示す。ＳＤＬ  ８０６を、オプションでブートストラップ中またはＵＴ  ８０４スタートアップ時のペアリングルーチン中に、ＯＴＡ通信を利用してアクセスポイント８０２によってＵＴ  ８０４に供給することができる。ＳＤＬ  ８０６を、ＵＴ  ８０４が現在配置されている特定のＧＥＯ内の使用可能なアクセスポイントを識別するために、ＵＴ  ８０４によって参照することができる。そのような現在のＧＥＯを、アクセスポイント８０２によってブロードキャストするか、位置決定測定（たとえば、ＧＰＳ）に基づいて決定するなどができる。
【００７５】
図示されているように、ＳＤＬ  ８０６は、３つの異なるＧＥＯすなわちＧＥＯ  １、ＧＥＯ  ２、およびＧＥＯ  ３を備える。ＧＥＯ  １は、ＵＴ  ８０４のホームフェムトセル（ＨＦＣ）ならびに１つまたは複数のマクロセルおよび１つまたは複数のエイリアンフェムトセル（ＡＦＣ）に関連する。ホームフェムトセルは、ＧＥＯ  １内に含まれるので、そのようなＧＥＯは、ホームＧＥＯとして示される。さらに、各アクセスポイントは、ＵＴ  ８０４がそれを用いて特定のアクセスポイントを識別できる特定のセルＩＤ（たとえば、ＳＩＤ／ＮＩＤ／セルＩＤ）に関連する。各アクセスポイントに、優先順位を与えることもできる。ホームセルは、ＧＥＯ  １内で高優先順位を与えられ、マクロアクセスポイントは、中優先順位を与えられ、ＧＥＯ  １内のエイリアンフェムトセルは、ブラックリストに入れられる（あるいは、オプションで低優先順位を与えられる）。したがって、ＵＴ  ８０４は、ホームフェムトセルの信号が識別され、比較的低いしきい値の上まで上昇する限り、そのようなセルを獲得する。そうでない場合には、マクロセルが選択される。エイリアンフェムトセルが識別される場合には、そのようなセルに関連する信号を無視することができる。
【００７６】
ＧＥＯ  ２およびＧＥＯ  ３は、両方ともエイリアンＧＥＯであり、ＵＴ  ８０４に関連するホームフェムトセルを含まない。少なくとも１つのエイリアンフェムトセルを備えるＧＥＯ  ２では、すべてのフェムトセルが、好ましくない優先順位を与えられ、マクロセル（１つまたは複数）は、高優先順位を与えられる。したがって、ＵＴ  ８０４は、マクロセルの信号が相対的に低いしきい値を超える限り、そのようなセルを選択する。エイリアンフェムトセルには、マクロセルを区別できない場合に、オプションでモバイルネットワークとのシグナリングがエイリアンフェムトセルによって許容される場合に、そのようなシグナリングを開始するために、アクセスすることができる。いくつかの態様では、ＵＴ  ８０４は、エイリアンフェムトセル上でゲストＵＴとして登録することを試み、エイリアンフェムトセルがより高い優先順位（たとえば、中状況または好ましい状況）を与えられる特殊化されたＳＤＬを取得することができる。マクロセルだけを含むＧＥＯ  ３に関して、ＵＴ  ８０４は、マクロセルに接続することができる。ＵＴ  ８０４が、好ましくないセルに接続される時に必ず（または、好ましいセルの信号が比較的低いしきい値未満に低下する場合に）、ＵＴ  ８０４は、好ましいセルを識別し、獲得するために、そのようなセルを周期的に探索できることを了解されたい。したがって、ＵＴ  ８０４が、マクロセルに接続されるが、ＧＥＯ  ２からＧＥＯ  １に移動する場合には、ホームフェムトセルを最終的に識別することができる。
【００７７】
前述に加えて、ＳＤＬ  ８０６は、さまざまなアクセスポイントによって使用される周波数チャネルを示すことができる。複数のチャネルが使用可能である多搬送波環境では、ＵＴ  ８０４は、セルを識別するためにそのようなチャネル内および／またはそのようなチャネルの間で探索し、中または好ましくないセルに接続されている時に、好ましいセルを周期的に探索することができる。図示されているように、ＳＤＬ  ８０６は、ＵＴ  ８０４が現在配置されている特定のＧＥＯに依存して、他のセルよりも好ましいセルを識別するのを容易にするために、ネットワークアクセスポイントの選択的決定を提供することができる。したがって、より効率的な全体的モバイル通信につながる、好ましいセルを取得する高められた尤度が存在する。
【００７８】
図９に、本開示の態様によるＢＳ  ９０２および１つまたは複数のＵＴ  ９０４（たとえば、モバイルデバイス）を備える例のシステム９００のブロック図を示す。ＢＳ  ９０２を、本明細書で説明するように、異なるタイプのモバイルネットワークアクセスポイントへの選択的アクセスを提供するように構成することができる。そのようなタイプのアクセスポイントを識別し、それらの間で区別するように構成されたＵＴ  ９０４について、さまざまなタイプのアクセスポイントの識別する情報およびそのようなアクセスポイントの優先順位を含むカスタマイズされたＳＤＬを、ＢＳ  ９０２によって供給することができる。ＵＴ  ９０４が、異なるタイプのアクセスポイントを識別し、かつ／またはそれらの間で区別するように構成されない場合には、適切なマクロネットワークアクセスポイントを識別する情報を含むＳＤＬを供給し、ＵＴ（１つまたは複数）９０４が非マクロアクセスポイントを無視することを可能にすることができる。
【００７９】
ＢＳ  ９０２（たとえば、アクセスポイント、…）は、信号（１つまたは複数）および１つまたは複数のＵＴ  ９０４からの無線（ＯＴＡ）メッセージを１つまたは複数の受信アンテナ９０６を介して受信する受話器９１０と、変調器９２８によって供給されるコーディングされ／変調されたＯＴＡ信号およびメッセージを送信アンテナ（１つまたは複数）９０８を介して１つまたは複数のＵＴ  ９０４に送信する送信機９３０とを備えることができる。受話器９１０は、受信アンテナ９０６から情報を受け取ることができ、さらに、ＵＴ（１つまたは複数）９０４によって送信されたアップリンクデータを受信する信号受信側（図示せず）を備えることができる。さらに、受話器９１０は、受信された情報を復調する復調器９１２に動作可能に関連する。復調された記号は、プロセッサ９１４によって分析される。プロセッサ９１４は、ＢＳ  ９０２によって提供される機能に関係する情報を格納するメモリ９１６に結合される。１つの実例で、格納される情報は、さまざまなアクセスポイントＩＤおよびフェムト固有情報を取得し、ＵＴ（１つまたは複数）９０４へのフェムト固有ＳＤＬを生成するためのルールを備えることができる。さらに、格納される情報は、好ましいＢＳおよび好ましくないＢＳ（９０２）を確立するように構成されたパラメータのセットを備えることができる。
【００８０】
さらに、ＢＳ  ９０２は、ＵＴ（９０４）の機能を使用し、そのような機能に基づいてＵＴ（９０４）用のＳＤＬをカスタマイズするプロビジョニングモジュール９１８を備えることができる。たとえば、ＵＴがフェムト対応デバイスである場合に、プロビジョニングモジュール９１８は、モバイルコアネットワークおよび／またはそのようなネットワークによって維持されるフェムト固有データベースと通信するのに、シグナリングインターフェース９２０を使用することができる。シグナリングインターフェースは、フェムト対応ＵＴ（９０４）に関連する加入者情報を取得することができ、さらに、フェムトデータベースからそのようなＵＴに関連するホームフェムトセルを取得することができる。オプションで、ＢＳ  ９０２がフェムトセルＢＳである場合に、ＣＳＧ  ９２４に含まれるＵＴ  ９０４の加入者情報およびフェムト機能を、ＢＳ  ９０２の内部使用のためにメモリ９１６に格納することができる。加入者情報および機能情報を取得した時に、カスタマイズされたＳＤＬを、フェムトＵＴ  ９０４のために生成することができ、好ましいセルとしてホームフェムトセル（９０２）を確立し、オプションで、それぞれ中または低優先順位のセルおよびブラックリストに入れられたセルとしてマクロセルおよび／またはエイリアンセルを確立することができる。いくつかの態様では、ＢＳ  ９０２は、他のフェムトＢＳと通信するためまたはモバイルコアネットワークに結合するために（たとえば、ＢＳ  ９０２がフェムトセルＢＳである場合）、インターネットに結合するデータインターフェース９２２を備えることができる。
【００８１】
１つまたは複数の他の態様によれば、ＢＳ  ９０２は、初期ＵＴプロビジョニング用のブートストラップモジュール９２６を備えることができる。ブートストラップモジュール９２６は、本明細書で説明するように、初期プロビジョニングのためにフェムトＵＴと通信するのにブートストラップノードＩＤおよび／またはブートストラップ周波数チャネルを使用することができる。ブートストラップモジュール９２６を、初期プロビジョニング中にＣＳＧ  ９２４の一部としてＵＴ（９０４）を確立するのに利用することができる。その場合に、ブートストラップモジュール９２６は、さらに、ブートストラッピング手順中に認可されないＵＴがＢＳ  ９０２に結合する尤度を緩和するために、ブートストラップ通信を比較的短い範囲（たとえば、１ｍ未満）に制限するためにプロセッサ９１４のより低い電力伝送パラメータを提供することができる。さらに、ブートストラップモジュール９２６は、プロビジョニングモジュール９１８がＳＤＬを近くのネットワーク信号にカスタマイズすることを可能にするために、そのような初期プロビジョニング中に適切なＵＴ（９０４）から近くの無線状態を取得することができる。したがって、たとえば、近くのエイリアンフェムトセルを、ＣＳＧに含まれるＵＴ（９０４）がエイリアンフェムトセルへのアイドルハンドオフを実行するのを防ぐために、ブラックリストに入れることができる。その結果、ＵＴ（９０４）が、他のセルに移動するのではなく、ＢＳ  ９０２に結合されたままになる可能性をより高くすることができる。
【００８２】
図１０に、ＢＳ  １００４とインターフェースするように構成され得るＵＴ（たとえば、モバイルデバイス）１００２を備える例のシステム１０００のブロック図を示す。ＵＴ  １００２を、無線ネットワークの１つまたは複数のそのようなＢＳ  １００４（たとえば、アクセスポイント）と無線的に結合するように構成することができる。したがって、たとえば、ＵＴ  １００２は、当技術分野で既知のように、ＦＬチャネルでＢＳ  １００４からＯＴＡ信号を受信し、ＲＬチャネルでＯＴＡ信号およびメッセージを応答することができる。さらに、ＵＴ  １００２は、無線ネットワークへのアクセスポイントの間で選択的に選択するために、ＢＳ  １００４からシステム決定情報を取得することができる。いくつかの態様では、ＵＴ  １００２は、ＵＴ  １００２の機能に基づいてカスタムＳＤＬを生成するのを容易にするために、ＵＴ固有情報および／または加入者固有情報を提供することができる。カスタムＳＤＬは、たとえば、本明細書で説明するように、そのような選択的ネットワークアクセスを容易にするために、好ましいまたは好ましくないアクセスポイントとして１つまたは複数のタイプのアクセスポイントを確立することができる。
【００８３】
ＵＴ  １００２は、信号を受信する少なくとも１つのアンテナ１００６（たとえば、入力インターフェースを備える伝送受話器またはそのような受話器のグループ）および受信信号に対する通常のアクション（たとえば、フィルタリング、増幅、ダウンコンバージョンなど）を実行する受話器（１つまたは複数）１００８を含む。少なくともいくつかの態様によれば、プロセッサ（１つまたは複数）１０１２は、復調器１０１０からから受け取った信号の諸部分を選択的に分析し、選択された基地局（１００４）または選択されたタイプの基地局に関係する同期情報および／または制御情報を取得することができる。一般に、アンテナ１００６および変調器１０２８によって供給される変調された信号を無線で送信する送信機１０３４（集合的にトランシーバと称する）は、基地局（１つまたは複数）１００４との無線データ交換を容易にするように構成することができる。
【００８４】
アンテナ１００６および受話器（１つまたは複数）１００８を、受信された記号を復調し、評価のためにプロセッサ（１つまたは複数）１０１２に供給できる復調器１０１０に結合することもできる。プロセッサ（１つまたは複数）１０１２が、ＵＴ  １００２の１つまたは複数のコンポーネント（１００６、１００８、１０１０、１０１４、１０１６、１０１８、１０２０、１０２２、１０２４、１０２６、１０２８）を制御し、かつ／または参照できることを了解されたい。さらに、プロセッサ（１つまたは複数）１０１２は、ＵＴ  １００２の機能を実行することに関係する情報または制御を備える１つまたは複数のモジュール、アプリケーション、エンジン、または類似物（１０１６、１０１８、１０２２、１０２４、１０２６）を実行することができる。たとえば、そのような機能は、本明細書で説明されるように、受信無線信号の信号強度および／または信号品質統計をスキャンすることを含み、特定のＢＳ（１００４）または特定のタイプのＢＳへの選択的アクセスまたはハンドオフにカスタマイズされたＳＤＬを使用し、あるいは類似する動作を行うことができる。
【００８５】
ＵＴ  １００２は、さらに、プロセッサ（１つまたは複数）１０１２に動作可能に結合されるメモリ１０１４を含むことができる。メモリ１０１４は、送信され、受信されるデータおよび類似物と、遠隔デバイス（１００４）との無線通信を行うのに適する命令（１０２０）とを格納することができる。さらに、メモリ１０１４は、上の、プロセッサ（１つまたは複数）１０１２によって実行されるモジュール、アプリケーション、エンジンなど（１０１６、１０１８、１０２２、１０２４、１０２６）を格納することができる。
【００８６】
前述に加えて、プロセッサ（１つまたは複数）１０１２およびメモリ１０１４を、ネットワークアクセスポイント（１００４）を獲得するか好ましいアクセスポイント（１００４）を識別し、これに切り替えるために基地局再選択を実行できる再選択モジュール１０１６に結合することができる。再選択モジュール１０１６は、ＢＳ  １００４から取得され、メモリ１０１４に格納されたカスタマイズされたＳＤＬからそのような指示を取得することができる。再選択は、アンテナ１００６および受話器１００８で取得される取得される無線信号のセルＩＤを識別し、そのセルＩＤをカスタマイズされたＳＤＬと比較するために、そのような信号をスキャンすることを備えることができる。
【００８７】
カスタマイズされたＳＤＬの生成を容易にするために、プロセッサ（１つまたは複数）１０１２は、ＵＴ  １００２を識別するデータまたは加入者に関連するデータをメモリ１０１４に格納された加入者プロファイル１０２０から供給することができる。加入者データは、ＵＴ  １００２のホームＧＥＯを確立するのに（たとえば、加入者住所、郵便番号、または類似するデータに基づいて）利用することができる。いくつかの態様では、プロセッサ（１つまたは複数）１０１２は、ホームＧＥＯを確立する位置データなどの加入者データ、またはＵＴ  １００２の電話番号、通し番号、ＭＳＩ、ＩＭＳＩ、もしくは類似するデータなどのＵＴ  １００２を識別するデータを取得するために、ＵＴ  １００２のユーザインターフェース（ＵＩ）（図示せず）を介してユーザに照会することができる。さらに、加入者プロファイル１０２０および／またはＵＩから取得された情報は、ＵＴ  １００２のフェムト機能を示すことができる。前述のデータを、本明細書で説明されるように、カスタムＳＤＬを生成するためにＢＳ  １００４に転送することができる。
【００８８】
前述に加えて、ＵＴ  １００２は、受信された無線信号の信号統計を決定する分析モジュール１０１８を備えることができる。信号統計は、信号強度情報および／または信号品質情報を備えることができる。そのような統計を、ＢＳ  １００２との通信のためおよび／またはブラックリスティングモジュール１０２４に格納される近くのエイリアンフェムトセルをブラックリストに入れるために、ＵＴ  １００２を構成するためにスタートアップモジュール１０２６によって実施されるスタートアップルーチンおよび／または獲得ルーチン（たとえば、ブートストラッピングルーチン）に関連してＢＳ  １００４に提供することもできる。統計情報を、スタートアップルーチンおよび／または獲得ルーチン中にＢＳ  １００４と通信するのに特定のブートストラッピングチャネルを使用できるルーティングモジュール１０２２を介してＢＳ  １００４に送ることができる。スタートアップルーチン／獲得ルーチンの完了時に、ＵＴ  １００２は、近くのアクセスポイント（１００４）を獲得するのにカスタマイズされたＳＬＤを使用し、そのアクセスポイント（１００４）に関連するモバイルネットワークで登録することを試みることができる。
【００８９】
前述のシステムは、複数のコンポーネント、モジュール、および／または通信インターフェースの間の相互作用に関して説明された。そのようなシステムおよびコンポーネント／モジュール／インターフェースが、その中で指定されるコンポーネントまたはサブコンポーネント、指定されたコンポーネントまたはサブコンポーネントの一部、および／あるいは追加のコンポーネントを含むことができることを了解されたい。たとえば、システムは、プロビジョニングモジュール３０２、インターネット２４０、コアネットワーク５１８、およびＵＴ  １００２またはこれらおよび他のコンポーネントの異なる組合せに結合されたフェムトセル２１０を含むことができる。サブコンポーネントを、親コンポーネント内に含まれるのではなく、他のコンポーネントに通信的に結合されたコンポーネントとして実施することもできる。さらに、１つまたは複数のコンポーネントを、集約機能性を提供する単一のコンポーネントに組み合わせることができることに留意されたい。たとえば、単一のコンポーネントによって、受け取られた信号の統計を分析し、そのような統計をホームフェムトセルに報告するのを容易にするために、信号分析モジュール５０８が、ルーティングモジュール５１８を含むことができ、あるいは、逆も可能である。コンポーネントは、本明細書で具体的に説明はされないが当業者に既知の１つまたは複数の他のコンポーネントと相互作用することもできる。
【００９０】
さらに、了解されるとおり、上の開示されたシステムおよび下の方法のさまざまな部分は、人工知能ベース、知識ベース、またはルールベースのコンポーネント、サブコンポーネント、プロセス、手段、方法論、または機構（たとえば、サポートベクトルマシン、ニューラルネットワーク、エキスパートシステム、ベイジアンネットワーク（Bayesian belief network）、ファジイ論理、データフュージョンエンジン、クラシファイヤ…）を含むか、これらからなることができる。そのようなコンポーネントは、なかんずく、本明細書で既に説明したものに加えて、システムおよび方法の諸部分をより適応的であると同時により効率的でインテリジェントにするために、それによって実行されるある種の機構またはプロセスを自動化することができる。
【００９１】
上で説明した例示的システムを考慮して、開示される主題に従って実施できる方法論は、図１１〜１６の流れ図を参照してよりよく了解されるであろう。説明を単純にするために、方法論は、一連のブロックとして図示され、説明されるが、いくつかのブロックが、図示され本明細書で説明されるものとは異なる順序で発生し、かつ／または他のブロックと同時に発生することができるので、請求される主題が、ブロックの順序によって限定はされないことを理解し、了解されたい。さらに、図示されたすべてのブロックが、後で説明される方法論の実施に必要とは限らない。さらに、下および本明細書全体で開示される方法論は、そのような方法論を搬送し、コンピュータに転送するのを容易にするために製造品に格納され得ることを、さらに了解されたい。用語製造品は、使用される時に、すべてのコンピュータ可読デバイス、担体に関連するデバイス、または記憶媒体からアクセス可能なコンピュータプログラムを含むことが意図されている。
【００９２】
図１１に、モバイル通信環境で集中アクセス管理を提供する例の方法論１１００の流れ図を示す。１１０２で、方法１１００は、ＵＴ固有データを取得することができる。このデータは、ＵＴを一意に決定するのに適する識別情報を含むことができる。そのようなデータは、ＵＴのＭＳＩ、ＩＭＳＩ、ＥＳＮ、または類似する識別子を備えることができる。データは、ＵＴとの直接ＯＴＡ通信を介して、またはＵＴに結合されたネットワークアクセスポイントを介して取得することができる。後者の場合に、データに、モバイルネットワークにアクセスするのにＵＴによって利用されるアクセス要求を付随させることができる。
【００９３】
１１０４で、方法１１００は、ＵＴのアクセス機能を決定するのにＵＴ固有データを使用することができる。いくつかの態様では、このデータを、フェムト使用プランまたはフェムト加入プランに関連するデータを備えるフェムトデータベースに対して参照することができる。このデータベースは、さまざまなフェムト対応ＵＴのホームフェムトセルならびに特定のフェムトセルに関する認可されたＵＴをリストするテーブルを備えることができる。フェムトデータベースにアクセスすることによって、ＵＴがフェムト対応ＵＴであるかどうか（たとえば、ＵＴ固有情報がデータベースに含まれるかどうか）、どのホームフェムトセルがそのＵＴに関連するのか、および各そのようなホームフェムトセルに関連するホームＧＥＯを識別する情報を決定することができる。
【００９４】
前述に対する代替案として、またはそれに加えて、ＵＴ固有データを、ＵＴに関連するオペレータのホームロケーションレジスタにアクセスするのに利用することができる。そのような態様では、ＵＴのフェムト機能ならびにホームフェムトセルおよびそのようなセルのＧＥＯを、ホームロケーションレジスタから取得することもできる。代替案では、ＵＴ固有データを、ＵＴによってサブミットされる登録要求に含め、ＵＴから直接にまたは間接にあるいはＵＴに関連するサービングセルから取得することができる。例として、ＵＴのユーザは、ＩＤ情報および／またはフェムト機能（ホームフェムト／ホームＧＥＯへの参照を含む）をＵＴのＵＩにサブミットすることができる。そのような情報を、その後、フェムトデータベースまたはオペレータのホームロケーションレジスタへのアクセスの代わりにまたはそれに加えて受信することができる。
【００９５】
１１０６で、方法１１００は、少なくとも部分的にＵＴのアクセス機能に基づいてＵＴのカスタムＳＤＬを生成することができる。ＳＤＬは、たとえば、ＵＴがフェムト対応ではない場合にＵＴの近くのマクロセルのアクセス情報を含み、ＵＴがフェムト対応である場合にはマクロセルとフェムトセルとの両方のアクセス情報を含む。前述に加えて、ＳＤＬは、ＵＴの位置に基づいて、アクセスポイントのタイプ（たとえば、フェムト、マクロ）の相対優先順位を示すことができる。したがって、たとえば、ＵＴが現在はホームＧＥＯ内にある場合に、フェムトセルアクセス情報に高い優先順位を与え、マクロアクセス情報により低い優先順位を与えることができる。この優先順位は、ＵＴがフェムトセルにアクセスし、これに結合されたままになる高められた尤度を容易にすることができる。いくつかの態様では、カスタムＳＤＬは、ＵＴの特定のホームフェムトセルを識別することができ、したがって、そのようなセルを、ＵＴによって識別することができる。ホームフェムトセルに、最高の優先順位を与えることができる。さらなる態様では、エイリアンフェムトセルをも識別し、最低の優先順位を与えることができ、あるいは、カスタムＳＤＬ内でブラックリストに入れることができる。したがって、ＵＴは、エイリアンフェムトセルへの浪費されるシグナリングを避けることができる。カスタムＳＤＬが生成された後に、そのカスタムＳＤＬを、少なくともアクセスポイントタイプに基づいてさまざまなネットワークアクセスポイントに選択的にアクセスするためにＵＴに転送することができる。
【００９６】
図１２に、ＵＴのためにカスタマイズされたＳＤＬを生成するためにＵＴ固有データを取得する例の方法論１２００の流れ図を示す。１２０２で、方法１２００は、本明細書で説明するように、ＵＴからＵＴ固有データを取得することができる。１２０４で、方法１２００は、ＵＴに関連する加入者データについてＨＬＲに照会することができる。１２０６で、少なくとも部分的に加入者データに基づいて、ＵＴがフェムト対応ＵＴであるかどうかに関する決定を行う。ＵＴがフェムト対応ＵＴではない場合には、方法１２００は、１２０８に進むことができ、ここで、マクロアクセスポイントへの優先順位を確立するマクロＳＤＬが、生成され、１２２２でＵＴに供給される。
【００９７】
ＵＴがフェムト対応ＵＴと決定される場合には、方法１２００は１２１０に進むことができる。１２１０では、方法１２００は、オプションで（破線によって示される）ホームフェムトセル（１つまたは複数）およびＵＴに関する関連情報についてフェムトデータベースに照会することができる。代替案では、方法１２００は、フェムトデータベースにアクセスするのではなく、ネットワークＨＬＲからまたはＵＴから動的にフェムトセル（１つまたは複数）および関連情報を取得することができる。どちらの場合でも、方法１２００は、１２１２で、ＵＴに関するフェムトホームセル（１つまたは複数）およびホームＧＥＯ（１つまたは複数）を取得することができる。さらに、１２１４で、方法１２００は、ＵＴの現在のＧＥＯならびにそのようなＧＥＯ内の隣接セルを取得することができる。１２１６で、方法１２００は、ＵＴがホームセルまたはホームＧＥＯ内にあるかどうかを決定することができる。そうではない場合には、方法１２００は、１２１８に進むことができ、ここで、エイリアンフェムト環境内のカスタマイズされたＳＤＬを生成することができる。そのようなエイリアンＳＤＬは、エイリアンフェムトセルに低い優先順位を与えるか、そのようなセルをブラックリストに入れることができ、マクロセルに比較的高い優先順位を与えることができる。その一方で、ＵＴが、符号１２１６でホームセルまたはホームＧＥＯ内にあると決定される場合には、方法１２００は、１２２０に進むことができ、ここで、ホームＳＤＬをＵＴのために生成することができる。ホームＳＤＬは、ＵＴに関連するホームフェムトセルを識別し、これに高い優先順位を与えることができる。１２２２で、方法１２００は、マクロ、エイリアン、またはホームフェムトのいずれであれ、カスタマイズされたＳＤＬを、ＵＴに送信することができる。
【００９８】
図１３に、モバイルネットワークにアクセスする例の方法論の流れ図を示す。１３０２で、方法１３００は、要求するＵＴのＩＤを備える登録要求をサブミットすることができる。このＩＤは、そのＵＴを他のそのようなＵＴから区別するのに利用できるすべての適切な情報を備えることができる。いくつかの態様によれば、登録要求は、オプションで、ＵＴがフェムトセルにアクセスするように構成されるかどうか、ホームフェムトセルのＩＤ情報（たとえば、ＳＩＤ／ＮＩＤ／セルＩＤ）およびそのようなセルによって使用される周波数チャネル、ならびに、ＵＴの現在位置またはＧＥＯ、およびＵＴに現在サービスしているＢＳのＩＤなど、ＵＴのアクセス機能を含むことができる。
【００９９】
１３０４で、方法１３００は、符号１３０２でサブミットされたＵＴ情報に合わせてカスタマイズされたＳＬＤを取得することができる。したがって、たとえば、カスタマイズされたＳＤＬは、ＵＴによって占められる現在のＧＥＯ内のホームフェムトセル、エイリアンフェムトセル、および／または近くのマクロセルを識別する情報を含むことができる。他の態様では、ＳＤＬは、アクセスポイントタイプならびにさまざまなアクセスポイントによって利用される周波数チャネルの関数として、さまざまなアクセスポイントの相対優先順位を提供することができる。相対優先順に基づいて、ＵＴは、好ましいアクセスポイントを識別するためにさまざまな受信信号の間で選択することができる。好ましいアクセスポイントが、特定の周波数チャネルに配置されていない場合には、ＵＴは、好ましいアクセスポイントを突き止める試みを進めるために、チャネルを切り替えることができる。しかし、そのようなアクセスポイントを見つけることができない場合には、ＵＴは、好ましくないセルまたは特定のプリファレンスを与えられない（もしくはたとえば中プリファレンスを与えられた）セルを選択することができる。しかし、ＵＴは、好ましいセルを取得する試みを継続するために、受信信号および使用可能周波数チャネルを周期的にスキャンすることができる。そのような周期的スキャンは、好ましいセルが見つかるまで、または好ましいセルを含まない新しいＳＤＬがＵＴに供給されるまで（たとえば、ＵＴが新しいＧＥＯに移動する場合、ネットワークトポロジが変化する場合、ＵＴの電源が切られ、入れられる場合、または類似物）、継続することができる。
【０１００】
図１４に、モバイル通信環境で分散アクセス管理を提供する例の方法論の流れ図を示す。１４０２で、方法１４００は、本明細書で説明するように、ＵＴ固有データを伴う登録要求を取得することができる。１４０４で、方法１４００は、要求するＵＴのフェムト機能を取得することができる（たとえば、そのようなＵＴから、フェムトデータベースから、オペレータのＨＬＲからなど）。１４０６で、方法１４００は、ＵＴが配置された特定のＧＥＯ内のセルまたはＵＴに結合されたサービングセルの近くのセルについて、隣接セルデータを取得することができる。隣接セルデータは、隣接セルによって送信された信号を分析し、ＵＴの近くのネットワーク環境の分析としてそのような信号の統計を提供できる、ネットワークコンポーネントまたはＵＴから取得することができる。１４０８で、方法１４００は、ＵＴ機能および隣接セルデータを有するＳＤＬを生成することができる。ＵＴ機能は、本明細書で説明するように、ＵＴによる選択的アクセスポイント管理を可能にするためにＳＤＬをカスタマイズするのに利用することができる。さらに、隣接セルデータは、ＳＤＬ内で示される好ましいセルがある場合に、それを探索するのにＵＴによって利用することができる。少なくとも１つの態様では、隣接セルデータを、サービングセルが好ましいアクセスポイント（たとえば、ホームフェムトセル）である場合に、サービングセルの付近の１つまたは複数の好ましくないアクセスポイントをブラックリストに入れるのに利用することができる。隣接セルのデータを利用することによって、セルの比較的小さいブラックリストを維持することができ、それぞれカスタマイズされたＳＤＬを分析し、格納するための処理要件およびメモリ要件を下げることができる。
【０１０１】
図１５に、ＵＴに結合し、ＵＴのアクセス機能に基づいてＵＴのカスタムＳＤＬを生成するのにスタートアップルーチンを使用する例の方法論の流れ図を示す。１５０２で、方法１５００は、コアモバイルネットワークとのコアネットワークリンクを確立することができる。１５０４で、方法１５００は、近くのＵＴの初期獲得のためのブートストラップパラメータを取得することができる。１５０６で、方法１５００は、遠隔デバイスとのセルラ通信のためのセルラパラメータを取得することができる。１５０８で、方法１５００は、ブートストラッププロビジョニングモードに入ることができる。１５１０で、方法１５００は、近くのＵＴとのリンクを確立することができる。このリンクは、オプションで、特に低い送信電力を利用することができ、非常に近くのＵＴだけとの通信が可能になる。１５１２で、方法１５００は、ＵＴからＵＴデータおよび周囲のネットワーク統計を受信することができる。１５１４で、方法１５００は、ＵＴデータおよびネットワーク統計に基づいてＵＴのカスタムＳＤＬを生成することができる。１５１６で、方法１５００は、ＵＴをＣＳＧに追加し、認可されたＵＴとしてＵＴを確立することができる。１５１８で、方法１５００は、カスタマイズされたＳＤＬをＵＴに供給することができる。１５２０で、方法１５００は、更新されたネットワークトポロジパラメータをネットワークから取得することができる。更新されたネットワークトポロジパラメータは、周囲のＧＥＯ内の追加のおよび／または変更されたＵＴデータを含むことができる。１５２２で、方法１５００は、更新されたネットワークトポロジパラメータに基づいて、ＵＴに供給されるカスタムＳＤＬを変更することができる。１５２４で、方法１５００は、更新されたネットワーク環境でのアクセスポイント選択を容易にするために、更新されたＳＤＬをＵＴに供給することができる。
【０１０２】
図１６に、ＵＴ固有データおよびＵＴ固有アクセス機能に基づくカスタムＳＤＬの生成を容易にする例の方法論の流れ図を示す。１６０２で、方法１６００は、メモリからまたはユーザ入力からＵＴデータを取得することができる。１６０４で、方法１６００は、ブートストラップＳＤＬを取得することができる。ブートストラップＳＤＬは、たとえば、ネットワークに関連するＧＡ  ＢＳ（たとえば、マクロＢＳ）を使用することによってモバイルネットワークから取得することができる。１６０６で、方法１６００は、ブートストラップＳＤＬによって提供されるブートストラップチャネル上でブートストラップスタートアップモードおよび／または獲得モードに入ることができる。１６０８で、方法１６００は、ブートストラップチャネル上でブートストラップセル（たとえば、ブートストラップＮＩＤによって識別される）に結合することができる。１６１０で、方法１６００は、ブートストラップセルにＵＴデータを供給することができる。１６１２で、方法１６００は、オプションでブートストラップセルから取得した信号を除外して、周囲のネットワークから受信した無線信号を分析することができる。１６１４で、方法１６００は、信号強度、信号品質、および類似物などの信号統計を、受信した無線信号から抽出することができる。１６１６で、方法１６００は、抽出された信号統計をブートストラップセルに供給することができる。１６１８で、方法１６００は、ＵＴデータおよび抽出された信号統計に基づいてカスタマイズされたＳＤＬを取得することができる。１６２０で、方法１６００は、好ましいネットワークセルを探索し、これを獲得するのにカスタマイズされたＳＤＬを使用することができる。１６２２で、方法１６００は、カスタマイズされたＳＤＬで指定されたフェムト周波数チャネル上で好ましいセルに登録することができる。１６２４で、方法１６００は、ネットワークトポロジ情報の変化に基づいて更新されたＳＤＬを取得することができる。
【０１０３】
図１７および１８に、それぞれ、本明細書で説明するモバイルネットワークのアクセスポイントの集中アクセスポイント管理を容易にし、利用する例のシステム１７００、１８００のブロック図を示す。たとえば、システム１７００、１８００は、少なくとも部分的に、無線通信ネットワーク内および／またはノード、基地局、アクセスポイント、ユーザ端末、モバイルインターフェースカードに結合されたパーソナルコンピュータ、もしくは類似物などの送信機内に存在することができる。システム１７００、１８００が、プロセッサ、ソフトウェア、またはその組合せ（たとえば、ファームウェア）によって実施される機能を表す機能ブロックとすることができる機能ブロックを含むものとして表されていることを了解されたい。
【０１０４】
システム１７００は、ＵＴに関するデータを取得する第１手段１７０２を備えることができる。このデータは、他のそのようなＵＴからＵＴを区別する情報ならびにそのＵＴのモバイルサービスを提供するオペレータを識別する情報を備えることができる。第２手段１７０４は、ＵＴのアクセス機能を取得するのにそのデータを使用することができる。この機能は、ＵＴがフェムト対応ＵＴとして識別される場合に、フェムトデータベースから取得することができる。その代わりにまたはそれに加えて、この機能を、オペレータのコアネットワークで維持されるオペレータのＨＬＲから取得することができる。本開示の他の態様では、この機能を、ＵＴに関するデータを用いて取得することができ、あるいは、そのようなデータから直接または間接に導出することができる（たとえば、データまたはそのようなデータのハッシュが機能を明らかにする場合）。システム１７００は、さらに、カスタムＳＤＬを生成する第３手段１７０６を備えることができる。カスタムＳＤＬは、少なくとも部分的にＵＴ機能に基づいてＵＴによって使用できるモバイルネットワークアクセスポイントをリストすることができる。いくつかの態様では、ネットワークアクセスポイントを、ＵＴが配置されている現在のＧＥＯの関数としてフィルタリングすることができる。さらに、アクセスポイントに、優先順位またはプリファレンスの特定の順序を与え、１つまたは複数のそのようなアクセスポイントの選択的アクセスおよび／または獲得を容易にすることができる。少なくとも１つのそのような態様では、順序／優先順位を、ＵＴの機能に基づくものとすることができる。したがって、たとえば、ＵＴがフェムト対応デバイスである場合に、優先順位を、ＵＴに関連するフェムトアクセスポイントまたはホームアクセスポイントに与えることができる。ＵＴがフェムト対応ではない場合には、優先順位を、ＧＡマクロアクセスポイントなどの別のタイプのアクセスポイントに与えることができる。
【０１０５】
システム１８００は、モバイルネットワークのアクセスポイントに登録要求をサブミットする第１手段１８０２を備えることができ、この登録要求は、要求するデバイスのＩＤを備える。さらに、システム１８００は、要求するデバイスのＩＤに少なくとも部分的に基づいて、カスタマイズされたＳＤＬを取得する第２手段１８００を備えることができる。ＳＤＬは、たとえば、要求するデバイスに関連する特定のアクセスポイントを識別し、これに高い優先順位を与えることができる。前述に加えて、システム１８００は、ＳＤＬ内で識別されるアクセスポイントを探索し、かつ／または獲得するのに、カスタマイズされたＳＤＬを使用する第３手段１８０６を備えることができる。そのような手段１８０６は、探索を行う際にＳＤＬで指定されたアクセスポイントプリファレンスを使用することができる。したがって、より高い優先順位を有するセルを、他のセルより優先して選択することができる。好ましいセルを手段１８０６によって識別できない場合には、手段１８０６は、ネットワークアクセスのために、より低く好ましいまたは好ましくないセルを選択することができる。しかし、その場合に、この手段は、好ましいアクセスポイントを識別するために探索を周期的に再開始することができる。好ましいアクセスポイントが識別される場合に、システム１８００は、そのようなアクセスポイントに接続し、それにモバイルサービスを要求することができる。さらに、好ましいアクセスポイントが識別される場合に、手段１８０６は、システム１８００がその好ましいアクセスポイントに結合されたままになる尤度を高めるために、その下でシステム１８００が好ましいアクセスポイントの代わりに他のセルを探索するしきい値を下げることができる。
【０１０６】
図１９および２０に、それぞれ、本明細書で説明するモバイルネットワークのアクセスポイントの集中アクセスポイント管理を容易にし、利用する、例のシステム１９００、２０００のブロック図を示す。たとえば、システム１９００、２０００は、少なくとも部分的に、無線通信ネットワーク内および／またはノード、基地局、アクセスポイント、ユーザ端末、モバイルインターフェースカードに結合されたパーソナルコンピュータ、もしくは類似物などの送信機内に存在することができる。システム１９００、２０００が、プロセッサ、ソフトウェア、またはその組合せ（たとえば、ファームウェア）によって実施される機能を表す機能ブロックとすることができる機能ブロックを含むものとして表されていることを了解されたい。
【０１０７】
システム１９００は、ブートストラップパラメータに基づいてブートストラップモードを開始する第１手段１９０２を備える。そのようなパラメータは、ブートストラップモードに関連する無線通信の周波数チャネル、システム１９００を識別するブートストラップＩＤ、ならびにブートストラップモード中の無線通信の送信電力を指定することができる。さらに、システム１９００は、無線データ交換を介してＵＴアクセス機能を取得する第２手段１９０４を含むことができる。さらに、システム１９００は、アクセス機能に基づいてカスタムＳＤＬを生成する第３手段１９０６を備えることができる。カスタムＳＤＬは、ＵＴの機能に基づいて、１つまたは複数のタイプのアクセスポイントに関するプリファレンスを示すことができる。いくつかの態様では、ＵＴに関連するホームアクセスポイントを、ホームアクセスポイントの検索および獲得の高められた尤度を容易にするために、ＳＤＬ内で最高優先順位のアクセスポイントとして識別し、リストすることができる。特定の態様によれば、ＳＤＬは、好ましいアクセスポイントに非常に近いと決定されるアクセスポイントの相対信号強度に基づいて、そのような近いアクセスポイントをブラックリストに入れることもできる。したがって、ＳＤＬは、ＵＴが他のそのようなアクセスポイントを選んで好ましいアクセスポイントを回避することの減らされた尤度を容易にすることができる。
【０１０８】
システム２０００は、ブートストラップＳＤＬを取得する第１手段２００２を備える。ブートストラップＳＤＬは、たとえばモバイルネットワークのコンポーネントからのＯＴＡプロビジョニングを介して、取得することができる。さらに、システム２０００は、ブートストラップＳＤＬ内で指定されたブートストラップチャネルを介してセルに結合する第２手段２００４を備えることができる。さらに、セルのシステムＩＤ、ノードＩＤ、および／またはセルＩＤを、そのようなセルの識別を容易にするためにブートストラップＳＤＬから抽出することができる。さらに、システム２０００は、カスタムＳＤＬを取得し、モバイルネットワークのアクセスポイントを選択する際にそれを使用する第３手段２００６を備えることができる。カスタムＳＤＬは、探索およびアクセスを容易にするためにアクセスポイントによって使用される通常のラジオ周波数チャネルを示すことができる。さらに、カスタムＳＤＬは、セルＩＤまたは類似する識別子によってそのようなセルを識別することができる。したがって、システム２０００は、セルとの通信を終了し、カスタムＳＤＬで指定されたセルの探索を開始し、そのような指定されたセルからモバイルサービスを取得することを試みることができる。カスタムＳＤＬは、オプションで、システム２０００が存在する１つまたは周囲のＧＥＯに基づくものとすることができる。システム２０００があるＧＥＯから別のＧＥＯに移動する時に、ＳＤＬを、どのセルをネットワークにアクセスするのに利用すべきかを決定するために参照することができる。指定されたセルを識別できない場合には、マクロネットワークセルなどの汎用セルをその代わりに使用することができる。その場合に、システム２０００は、汎用セルを介してネットワークに結合されている間に、ＳＤＬによって指定されるセルの探索を継続することができる。
【０１０９】
上で説明されたものは、請求される主題の態様の例を含む。もちろん、請求される主題の説明においてコンポーネントまたは方法論のすべての考えられる組合せを説明することは、不可能であるが、当業者は、開示された主題の多数のさらなる組合せおよび順列が可能であることを認めることができる。したがって、開示された主題は、添付の特許請求の趣旨および範囲に含まれるすべてのそのような代替形態、修正形態、および変形形態を包含することが意図されている。さらに、用語「含む」または「有する」が、この詳細な説明または特許請求の範囲で使用される範囲で、そのような用語は、用語「備える」が特許請求の範囲で前後を接続させる単語として使用される時に解釈されるものに類似する形で包含的であることを意図されている。
以下に、本願出願の当初の特許請求の範囲に記載された発明を付記する。
［１］
ユーザ端末（ＵＴ）を識別するデータを取得することと、
前記ＵＴのアクセス機能を決定するために前記データを使用することと、
前記アクセス機能の少なくとも一部に基づいて決定された好適なアクセスポイントを有するＵＴのカスタムシステム決定リスト（ＳＤＬ）を生成することと、前記ＳＤＬは前記好適なアクセスポイントの選択を容易にし、
ＵＴへのネットワークアクセスを許可し、又は拒否することと
を備える、モバイルネットワークへの遠隔アクセスを容易にする方法。
［２］
モバイルネットワークからブートストラップパラメータを取得する［１］記載の方法。
［３］
ブートストラップのスタートアップ又は取得モードを開始するためのブートストラップパラメータを使用することをさらに含む［２］記載の方法。
［４］
前記ＵＴと通信可能に接続するためにブートストラップ周波数チャネルと低電力ブートストラップ信号を使用することをさらに含む［３］記載の方法。
［５］
前記ブートストラップ周波数チャネルを介して前記ＵＴからＩＤデータを取得し、前記ブートストラップモードを終了する前に前記ＵＴへ前記ＳＤＬを供給することをさらに具備する［４］記載の方法。
［６］
前記ネットワークアクセスを許可し又は拒否することは、さらに前記ＵＴがＵＴに結合されたネットワークアクセスポイントにクローズされた加入者グループ（ＣＳＧ）に含まれているか否かに基づく［１］記載の方法。
［７］
隣接ネットワークアクセスポイントの信号特性を示すＵＴからの信号統計を取得することをさらに含む［１］記載の方法。
［８］
信号統計の少なくとも一部に基づいてブラックリストされたアクセスポイントとしての少なくとも１つの隣接アクセスポイントを特定することをさらに具備する［７］記載の方法。
［９］
隣接アクセスポイント配備における変化に基づいて更新されたネットワークトポロジ情報を取得し、
前記隣接アクセスポイント配備における変化を反映するために前記カスタムＳＤＬを更新することをさらに含む［１］記載の方法。
［１０］
前記モバイルネットワークからのフェムトセル動作パラメータを取得し、前記ＳＤＬにおける前記動作パラメータを含むことをさらに含む［１］記載の方法。
［１１］
ＵＴのホームＧＥＯとしての少なくとも１つの地理的地域（ＧＥＯ）を確立し、好適なアクセスポイントとして前記ホームＧＥＯに配置されたフェムトアクセスポイントを確立することをさらに具備する［１］記載の方法。
［１２］
モバイルネットワークへの遠隔アクセスを容易にするように構成されたフェムト基地局（ＢＳ）において、
ユーザ端末（ＵＴ）を識別するデータを取得する受信器と、
前記ＵＴのアクセス機能を決定するために前記データを使用する通信プロセッサと、
前記アクセス機能の少なくとも一部に基づいて決定された好適なアクセスポイントを有するＵＴのカスタムシステム決定リスト（ＳＤＬ）を生成するＳＤＬ供給モジュールと、前記ＳＤＬは前記好適なアクセスポイントの選択を容易にし、
ＵＴへのネットワークアクセスを許可し、又は拒否するように使用されるＣＳＧと
を具備するフェムト基地局。
［１３］
モバイルネットワークからインターネットを介してブートストラップパラメータを取得するように使用されるデータインターフェイスをさらに具備する［１２］記載のフェムト基地局。
［１４］
ブートストラップのスタートアップ又は取得モードを開始するためのブートストラップパラメータを使用するブートストラップモジュールをさらに具備する［１３］記載のフェムト基地局。
［１５］
前記ブートストラップモジュールは、前記ＵＴと通信可能に接続するためにブートストラップ周波数チャネルと低電力ブートストラップ信号を特定する［１４］記載のフェムト基地局。
［１６］
前記受信器は、前記ブートストラップ周波数チャネルを介して前記ＵＴからＩＤデータを取得し、前記ＳＤＬ供給モジュールは、前記ブートストラップモードを終了する前に前記ＵＴへ前記ＳＤＬを供給する［１５］記載のフェムト基地局。
［１７］
前記ＵＴが前記ＣＳＧに含まれている場合に、前記ＵＴがネットワークにアクセスすることが許可される［１２］記載のフェムト基地局。
［１８］
前記受信器は、隣接ネットワークアクセスポイントの信号特性を示すＵＴからの信号統計を取得する［１２］記載のフェムト基地局。
［１９］
前記ＳＤＬ供給モジュールは、前記隣接アクセスポイントが前記フェムト基地局と比べて比較的強い信号強度を有するエイリアンフェムトセルである場合に、少なくとも１つの隣接アクセスポイントをブラックリストされたアクセスポイントとして特定する［１８］記載のフェムト基地局。
［２０］
データインターフェイスが隣接アクセスポイント配備における変化に基づいて更新されたネットワークトポロジ情報を取得し、
前記ＳＤＬ供給モジュールが前記隣接アクセスポイント配備における変化を反映するために前記カスタムＳＤＬを更新する［１２］記載のフェムト基地局。
［２１］
データインターフェイスが前記モバイルネットワークからのフェムトセル動作パラメータを取得し、前記ＳＤＬにおける前記動作パラメータを含む［１２］記載のフェムト基地局。
［２２］
ＵＴのホームＧＥＯとしての少なくとも１つの地理的地域（ＧＥＯ）を確立し、前記ホームＧＥＯの好適なアクセスポイントとしてフェムトアクセスポイントを確立する［１２］記載のフェムト基地局。
［２３］
ブートストラップ取得モードを開始するためにブートストラップパラメータを使用する手段と、
ユーザ端末（ＵＴ）ＩＤデータからＵＴのアクセス機能を取得する手段と、
前記アクセス機能の少なくとも一部に基づいて決定された好適なアクセスポイントを有するＵＴのカスタムシステム決定リスト（ＳＤＬ）を生成する手段と、前記ＳＤＬは前記好適なアクセスポイントの選択を容易にし、
ＵＴへのネットワークアクセスを許可し、又は拒否する手段と
を具備するモバイルネットワークへの遠隔アクセスを容易にする装置。
［２４］
ユーザ端末（ＵＴ）を識別するデータを取得する第１のモジュールと、
前記ＵＴのアクセス機能を決定するために前記データを使用する第２のモジュールと、
前記アクセス機能の少なくとも一部に基づいて決定された好適なアクセスポイントを有するＵＴのカスタムシステム決定リスト（ＳＤＬ）を生成する手段と、前記ＳＤＬは前記好適なアクセスポイントの選択を容易にし、
ＵＴへのネットワークアクセスを許可し、又は拒否する第４のモジュールと
を具備するモバイルネットワークへの遠隔アクセスを容易にするように構成されたプロセッサ。
［２５］
コンピュータにユーザ端末（ＵＴ）を識別するデータを取得させる第１のコードの組と、
前記コンピュータに前記ＵＴのアクセス機能を決定するために前記データを使用させる第２のコードの組と、
前記コンピュータに前記アクセス機能の少なくとも一部に基づいて決定された好適なアクセスポイントを有するＵＴのカスタムシステム決定リスト（ＳＤＬ）を生成させる第３のコードの組と、前記ＳＤＬは前記好適なアクセスポイントの選択を容易にし、
前記コンピュータにＵＴへのネットワークアクセスを許可し、又は拒否させる第４のコードの組と
を具備するコンピュータ読取可能な媒体を具備するコンピュータプログラム製品。
［２６］
ＵＴデータをメモリ或いはユーザ入力から取得し、
前記ＵＴデータをネットワークアクセスポイントへ提供し、
ＵＴのアクセス機能に基づいて、少なくとも１つの好適なモバイルネットワークアクセスポイントを特定するカスタマイズされたＳＤＬを取得し、前記ＳＤＬは好適なアクセスポイントとの無線通信を識別し、開始することを容易にするモバイルネットワークへの選択的なアクセスの方法。
［２７］
モバイルネットワークからブートストラップＳＤＬを取得することは、ブートストラップセルＩＤ及びブートストラップ周波数チャネルを含む［２６の方法。
［２８］
前記ブートストラップＳＤＬを取得することは、さらにモバイルネットワークのマクロセルに結合することと、ＵＴデータをマクロセルに提出することを含む［２７の方法。
［２９］
前記モバイルネットワークに結合されたフェムトセルのスタートアップ又は取得を容易にするためにブートストラップモードに入ることをさらに具備する［２６］記載の方法。
［３０］
隣接ネットワークアクセスポイントの無線信号を解析することと、前記信号の強度又は品質の統計を決定することをさらに具備する［２６］記載の方法。
［３１］
ブートストラップペアリングルーチンに関連してフェムトアクセスポイントへの統計を提出することをさらに具備する［３０］記載の方法。
［３２］
前記カスタマイズされたＳＤＬは、前記フェムトアクセスポイントに提出された統計の少なくとも一部に基づく［３１］の方法。
［３３］
前記好適なアクセスポイントを探索し、識別するためにカスタムＳＤＬを使用することをさらに具備する［２６］記載の方法。
［３４］
前記カスタムＳＤＬを利用して前記好適なアクセスポイントが認識できない場合、より少ない好適なアクセスポイントにアクセスすることをさらに具備する［２６］記載の方法。
［３５］
前記より少ない好適なアクセスポイントに結合されている間、前記好適なアクセスポイントを定期的に探索することをさらに具備する［３４］記載の方法。
［３６］
ＵＴに関連した現在のＧＥＯを認識し、前記現在のＧＥＯがＵＴのホームＧＥＯである場合、前記好適なセルとしてホームフェムトセルを認識することをさらに具備する［２６］記載の方法。
［３７］
ＵＴデータをメモリ或いはユーザ入力から取得するプロセッサと、
前記ＵＴデータをネットワークアクセスポイントへ提供する送信器と、
ＵＴのアクセス機能に基づいて、少なくとも１つの好適なモバイルネットワークアクセスポイントを特定するカスタマイズされたＳＤＬを取得する基地局再選択モジュールと、前記ＳＤＬは好適なアクセスポイントとの無線通信を識別し、開始することを容易にするモバイルネットワークへアクセスすように構成されたＵＴ。
［３８］
ブートストラップセルＩＤ及びブートストラップ周波数チャネルを含むモバイルネットワークからブートストラップＳＤＬを取得するスタートアップモジュールをさらに具備する［３７］記載の方法。
［３９］
前記ＵＴは前記ブートストラップＳＤＬを取得するために前記モバイルネットワークのマクロセルに結合される［３８］記載のＵＴ。
［４０］
前記スタートアップモジュールは、前記モバイルネットワークに結合されたフェムトセルのスタートアップ又は取得を容易にするためにブートストラップモードに入る［３８］記載のＵＴ。
［４１］
隣接ネットワークアクセスポイントの無線信号を監視し、前記信号の強度又は品質統計を決定する解析モジュールをさらに具備する［３７］記載のＵＴ。
［４２］
前記プロセッサは、ブートストラップペアリングルーチンに関連してフェムトアクセスポイントへの統計を提出する［４１］記載のＵＴ。
［４３］
前記カスタマイズされたＳＤＬは、前記フェムトアクセスポイントへ提出された統計の少なくとも一部に基づく［４２］記載のＵＴ。
［４４］
前記基地局再選択モジュールは、さらに前記好適なアクセスポイントを探索し、識別するためにカスタムＳＤＬを使用する［３７］記載のＵＴ。
［４５］
前記基地局再選択モジュールは、前記カスタムＳＤＬを利用して前記好適なアクセスポイントが認識できない場合、より少ない好適なアクセスポイントにアクセスする［３７］記載のＵＴ。
［４６］
前記基地局再選択モジュールは、前記より少ない好適なアクセスポイントに結合されている間、前記好適なアクセスポイントを定期的に探索する［４５］記載のＵＴ。
［４７］
前記基地局再選択モジュールは、ＵＴに関連した現在のＧＥＯを認識し、前記現在のＧＥＯがＵＴのホームＧＥＯである場合、前記好適なセルとしてホームフェムトセルを認識する［３７］記載のＵＴ。
［４８］
ブートストラップＳＤＬを取得する手段と、
ブートストラップＳＤＬにおいて特定されたブートストラップチャネルを介してアクセスポイントに結合する手段と、
ＵＴのアクセス機能に基づいて少なくとも１つの好適なモバイルネットワークアクセスポイントを特定するカスタマイズされたＳＤＬを取得する手段と、前記ＳＤＬは好適なアクセスポイントとの無線通信を識別し、開始することを容易にするモバイルネットワークへの選択的なアクセスのために構成された装置。
［４９］
ＵＴデータをメモリ或いはユーザ入力から取得する第１のモジュールと、
前記ＵＴデータをネットワークアクセスポイントへ提供する第２のモジュールと、
ＵＴのアクセス機能に基づいて、少なくとも１つの好適なモバイルネットワークアクセスポイントを特定するカスタマイズされたＳＤＬを取得する第３のモジュールと、前記ＳＤＬは好適なアクセスポイントとの無線通信を識別し、開始することを容易にするモバイルネットワークへの選択的なアクセスのために構成されたプロセッサ。
［５０］
コンピュータにＵＴデータをメモリ或いはユーザ入力から取得させる第１のコードの組と、
前記コンピュータに前記ＵＴデータをネットワークアクセスポイントへ提供する第２のコードの組と、
前記コンピュータにＵＴのアクセス機能に基づいて、少なくとも１つの好適なモバイルネットワークアクセスポイントを特定するカスタマイズされたＳＤＬを取得させ、前記ＳＤＬは好適なアクセスポイントとの無線通信を識別し、開始することを容易にする第３のコードの組とを具備するコンピュータ読取可能な媒体を具備するコンピュータプログラム製品。
【図１】
0005612188.tif 000002
【図２】
0005612188.tif 000003
【図３】
0005612188.tif 000004
【図４】
0005612188.tif 000005
【図５】
0005612188.tif 000006
【図６】
0005612188.tif 000007
【図７】
0005612188.tif 000008
【図８】
0005612188.tif 000009
【図９】
0005612188.tif 000010
【図１０】
0005612188.tif 000011
【図１１】
0005612188.tif 000012
【図１２】
0005612188.tif 000013
【図１３】
0005612188.tif 000014
【図１４】
0005612188.tif 000015
【図１５】
0005612188.tif 000016
【図１６】
0005612188.tif 000017
【図１７】
0005612188.tif 000018
【図１８】
0005612188.tif 000019
【図１９】
0005612188.tif 000020
【図２０】
0005612188.tif 000021